(57)【要約】【課題】外観の品質の低下を抑えることのできる導電性フィルム、タッチパネル、および、表示装置を提供する。【解決手段】透明誘電体層の第１面に位置する複数の電極線は、第１電極方向Ｄ１に延びる屈曲線形状を有する複数のセンシング電極線５３ＳＲを含み、センシング電極線５３ＳＲは、複数の屈曲部５３Ｑと複数の短線部５３Ｅとを含む。複数の屈曲部５３Ｑには、離間屈曲部５３Ｑａが含まれ、第２電極方向Ｄ２に沿って互いに隣り合う２つのセンシング電極線５３ＳＲにおいて、一方のセンシング電極線５３ＳＲの離間屈曲部５３Ｑａと、他方のセンシング電極線５３ＳＲの離間屈曲部５３Ｑａとは、隙間を空けて対向し、これらの離間屈曲部５３Ｑａの各々に対する仮想交点５３ＫＰの位置は一致する。【選択図】図５
2018195020.tif 000002
【特許請求の範囲】
【請求項１】
第１面と、前記第１面とは反対側の面である第２面とを有する透明誘電体層と、
前記第１面にて、第１方向に沿って延びるとともに、前記第１方向と交差する第１交差方向に沿って並ぶ複数の第１電極と、
前記第２面にて、前記第１方向と交差する第２方向に沿って延びるとともに、前記第２方向と交差する第２交差方向に沿って並ぶ複数の第２電極と、を備え、
前記第１電極は、前記第１方向に延びる屈曲線形状を有する複数の第１電極線を含み、
前記第１電極線は、複数の屈曲部と、前記第１電極線に沿って互いに隣り合う前記屈曲部を結ぶ直線形状を有した複数の短線部とを含み、前記第１方向に対する前記短線部の傾きは、前記複数の短線部において前記短線部の並ぶ順序に対し不規則に変化し、
前記複数の屈曲部には、離間屈曲部が含まれ、前記離間屈曲部の両端に繋がる２つの前記短線部の各々の延長線の交点が仮想交点であり、
前記第１交差方向に沿って互いに隣り合う２つの前記第１電極線において、一方の前記第１電極線の前記離間屈曲部と、他方の前記第１電極線の前記離間屈曲部とが、隙間を空けて対向し、これらの前記離間屈曲部の各々に対する前記仮想交点の位置は一致する
導電性フィルム。
【請求項２】
前記複数の屈曲部には、接続屈曲部が含まれ、
前記第１交差方向に沿って互いに隣り合い、かつ、共通の前記第１電極に含まれる２つの前記第１電極線において、一方の前記第１電極線の有する前記接続屈曲部と、他方の前記第１電極線の有する前記接続屈曲部とは接続している
請求項１に記載の導電性フィルム。
【請求項３】
前記離間屈曲部には、円弧状を有する弧状屈曲部が含まれ、
前記弧状屈曲部に繋がる前記短線部は、前記弧状屈曲部の構成する円弧の端から、当該端での前記弧状屈曲部の接線に追従するように延びている
請求項１または２に記載の導電性フィルム。
【請求項４】
前記離間屈曲部には、折線屈曲部が含まれ、
前記折線屈曲部は、当該折線屈曲部を挟む２つの前記短線部の端部間に位置する複数の点を繋ぐように、前記端部の一方から他方へ向けて延びている
請求項１〜３のいずれか一項に記載の導電性フィルム。
【請求項５】
複数の仮想屈曲部を有して前記第１方向に所定の周期で屈曲を繰り返す屈曲線形状を有する仮想的な電極線が第１基準電極線であり、前記第１基準電極線における前記周期内での前記第１方向における位置が位相であって、複数の前記第１基準電極線は、前記第１交差方向に沿って、互いに隣り合う２つの前記第１基準電極線にて前記第１交差方向に並ぶ部分の前記位相が反転し、かつ、一方の前記第１基準電極線の前記仮想屈曲部と他方の前記第１基準電極線の前記仮想屈曲部とが接続するように並び、
前記第１電極線は、前記第１電極線に対する前記仮想交点が前記第１基準電極線の前記仮想屈曲部に対して変位した位置に配置されるように構成されている
請求項１〜４のいずれか一項に記載の導電性フィルム。
【請求項６】
前記第１基準電極線において前記第１交差方向の一方側で隣り合う前記仮想屈曲部間の前記第１方向に沿った長さが基準周期であり、複数の前記第１基準電極線の配列間隔が基準間隔であり、
前記仮想屈曲部を中心とする矩形状の領域が変位領域であって、
前記変位領域の前記第１方向に沿った長さは、前記基準周期の０．０５倍以上０．４５倍以下であり、
前記変位領域の前記第１交差方向に沿った長さは、前記基準間隔の０．０５倍以上０．４５倍以下であり、
複数の前記仮想交点の各々が、各別の前記変位領域内に位置するように、前記第１電極線は構成されている
請求項５に記載の導電性フィルム。
【請求項７】
前記第２電極は、前記第２方向に延びる屈曲線形状を有する複数の第２電極線を含み、
前記第２電極線は、複数の屈曲部と、前記第２電極線に沿って互いに隣り合う前記屈曲部を結ぶ直線形状を有した複数の短線部とを含み、前記第２方向に対する前記短線部の傾きは、前記複数の短線部において前記短線部の並ぶ順序に対し不規則に変化し、
前記第２電極線の前記複数の屈曲部には、離間屈曲部が含まれ、前記離間屈曲部の両端に繋がる２つの前記短線部の各々の延長線の交点が仮想交点であり、前記第２交差方向に沿って互いに隣り合う２つの前記第２電極線において、一方の前記第２電極線の前記離間屈曲部と、他方の前記第２電極線の前記離間屈曲部とが、隙間を空けて対向し、これらの前記離間屈曲部の各々に対する前記仮想交点の位置は一致し、
複数の仮想屈曲部を有して前記第２方向に所定の周期で屈曲を繰り返す屈曲線形状を有する仮想的な電極線が第２基準電極線であり、前記第２基準電極線における前記周期内での前記第２方向における位置が位相であって、複数の前記第２基準電極線は、前記第２交差方向に沿って、互いに隣り合う２つの前記第２基準電極線にて前記第２交差方向に並ぶ部分の前記位相が反転し、かつ、一方の前記第２基準電極線の前記仮想屈曲部と他方の前記第２基準電極線の前記仮想屈曲部とが接続するように並び、
前記第２電極線は、前記第２電極線に対する前記仮想交点が前記第２基準電極線の前記仮想屈曲部に対して変位した位置に配置されるように構成されており、
複数の前記第１基準電極線の配列間隔が第１基準間隔であり、前記第１基準電極線において前記第１交差方向の一方側で隣り合う仮想屈曲部間の前記第１方向に沿った長さが第１基準周期であり、
複数の前記第２基準電極線の配列間隔が第２基準間隔であり、前記第２基準電極線において前記第２交差方向の一方側で隣り合う仮想屈曲部間の前記第２方向に沿った長さが第２基準周期であり、
前記第１基準周期は、前記第２基準間隔の２倍の長さであり、前記第２基準周期は、前記第１基準間隔の２倍の長さである
請求項５または６に記載の導電性フィルム。
【請求項８】
請求項１〜７のいずれか一項に記載の導電性フィルムと、
前記導電性フィルムを覆うカバー層と、
前記第１電極と前記第２電極との間の静電容量を測定する周辺回路と、を備える
タッチパネル。
【請求項９】
格子状に配列された複数の画素を有して情報を表示する表示パネルと、
前記表示パネルの表示する前記情報を透過するタッチパネルと、
前記タッチパネルの駆動を制御する制御部と、を備え、
前記タッチパネルは、請求項８に記載のタッチパネルである
表示装置。
【発明の詳細な説明】
【技術分野】
【０００１】
本発明は、複数の電極線を備える導電性フィルム、この導電性フィルムを備えるタッチパネル、および、このタッチパネルを備える表示装置に関する。
【背景技術】
【０００２】
タッチパネルを入力デバイスとして用いる表示装置は、画像を表示する表示パネルと、表示パネルに重ねられた上記タッチパネルとを備えている。タッチパネルにおける指などの接触位置の検出方式としては、指などがタッチパネルの操作面に接触することを静電容量の変化として検出する静電容量方式が広く用いられている。静電容量方式のタッチパネルにおいて、タッチパネルの備える導電性フィルムは、第１方向に沿って延びる複数の第１電極と、第１方向と直交する第２方向に沿って延びる複数の第２電極と、第１電極と第２電極とに挟まれた透明誘電体層とを備えている。そして、１つの第１電極と複数の第２電極の各々との間における静電容量の変化が第１電極ごとに検出されることに基づき、操作面における指などの接触位置が検出される。
【０００３】
こうした導電性フィルムの一例では、複数の第１電極の各々は、第１方向に沿って延びる複数の第１電極線から構成され、複数の第２電極の各々は、第２方向に沿って延びる複数の第２電極線から構成される。電極線としては、銀や銅などの金属からなる細線が用いられる。電極線の材料として金属が用いられることによって、接触位置の検出に際しての迅速な応答性や高い分解能が得られるとともに、タッチパネルの大型化や製造コストの削減が可能となる。
【０００４】
ところで、可視光を吸収、あるいは、反射する金属から電極線が形成される構成では、タッチパネルの操作面から見て、複数の第１電極線と複数の第２電極線とが、これらの電極線が相互に直交した格子状のパターンを形成している。一方で、タッチパネルが積層される表示パネルでも、第１方向と第２方向とに沿って複数の画素を区画するブラックマトリクスが、格子状のパターンを形成している。
【０００５】
上記構成において、相互に隣り合う第１電極線の間の間隔は、相互に隣り合う画素間の第２方向における間隔とは一般に異なり、また、相互に隣り合う第２電極線の間の間隔も、相互に隣り合う画素間の第１方向における間隔とは異なる。そして、タッチパネルの操作面から見て、第１電極線と第２電極線とから形成される格子状の周期構造と、画素を区画する格子状の周期構造とが重なることによって、２つの周期構造のずれが、モアレ（ｍｏｉｒｅ）を誘起する場合がある。モアレが視認されると、表示装置にて視認される画像の品質の低下が生じる。
【０００６】
こうしたモアレを抑えるための方策の１つとして、電極線の周期構造の周期性を低下させることが提案されている。複数の電極線から構成されたパターンの周期性が低いと、この電極線パターンは周期構造として認識され難くなるため、画素を区画するパターンと電極線パターンとのずれが、２つの周期構造のずれとして認識され難くなる。それゆえ、モアレが視認されることが抑えられる。
【０００７】
例えば、特許文献１に記載のタッチパネルでは、第１電極線と第２電極線との各々が、山部と谷部とが交互に繰り返される折れ線形状を有しており、これらの電極線から構成されるパターンは、矩形とは異なる多角形の繰り返し構造を有する。したがって、こうした電極線パターンの周期性は、矩形が並ぶ格子状の電極線パターンの周期性と比較して低い。
【先行技術文献】
【特許文献】
【０００８】
【特許文献１】国際公開第２０１４／１１５８３１号
【発明の概要】
【発明が解決しようとする課題】
【０００９】
ところで、特許文献１に記載のタッチパネルにおいて、１つの面内に配置された複数の電極線の各々は、折れ線形状を有する１つの電極線が電極線の並ぶ方向に沿って平行移動された形状を有する。例えば、図１９が示すように、第１電極線１０１は、屈曲を繰り返しながら第１方向Ｄａに延びる折れ線形状を有する。詳細には、第１電極線１０１は、互いに異なる方向に直線状に延びる２種類の短線部１１０が第１方向Ｄａに沿って交互に並ぶ形状を有する。そして、第２方向Ｄｂに沿って並ぶ複数の第１電極線１０１の各々は、１つの第１電極線１０１が第２方向Ｄｂに沿って平行移動された形状を有する。こうした構成においては、同一の方向に延びる複数の短線部１１０が第１方向Ｄａの位置を揃えて第２方向Ｄｂに沿って並ぶ帯状領域１１０Ｒが形成される。そして、短線部１１０の延びる方向が互いに異なる２種類の帯状領域１１０Ｒが、第１方向Ｄａに沿って隙間なく交互に並ぶ。その結果、複数の帯状領域１１０Ｒの並びが、帯状のパターンとして視認されやすくなる。この帯状のパターンは、特に、表示装置が画像を表示していない非点灯時に外光の反射によって視認されやすく、こうした帯状のパターンが視認されると、操作面から見た外観の品質が低くなる。
本発明は、外観の品質の低下を抑えることのできる導電性フィルム、タッチパネル、および、表示装置を提供することを目的とする。
【課題を解決するための手段】
【００１０】
上記構成において、第１面と、前記第１面とは反対側の面である第２面とを有する透明誘電体層と、前記第１面にて、第１方向に沿って延びるとともに、前記第１方向と交差する第１交差方向に沿って並ぶ複数の第１電極と、前記第２面にて、前記第１方向と交差する第２方向に沿って延びるとともに、前記第２方向と交差する第２交差方向に沿って並ぶ複数の第２電極と、を備え、前記第１電極は、前記第１方向に延びる屈曲線形状を有する複数の第１電極線を含み、前記第１電極線は、複数の屈曲部と、前記第１電極線に沿って互いに隣り合う前記屈曲部を結ぶ直線形状を有した複数の短線部とを含み、前記第１方向に対する前記短線部の傾きは、前記複数の短線部において前記短線部の並ぶ順序に対し不規則に変化し、前記複数の屈曲部には、離間屈曲部が含まれ、前記離間屈曲部の両端に繋がる２つの前記短線部の各々の延長線の交点が仮想交点であり、前記第１交差方向に沿って互いに隣り合う２つの前記第１電極線において、一方の前記第１電極線の前記離間屈曲部と、他方の前記第１電極線の前記離間屈曲部とが、隙間を空けて対向し、これらの前記離間屈曲部の各々に対する前記仮想交点の位置は一致する。
【００１１】
上記構成によれば、複数の第１電極線のなかで同一の方向に延びる部分が、第１交差方向に沿って並ぶ帯状の領域が形成されること、さらに、互いに異なる方向に延びる上記部分から構成される２種類の帯状の領域が第１方向に沿って隙間なく交互に並ぶことが抑えられる。したがって、こうした帯状の領域の並びに起因した帯状のパターンが、反射光等によって視認されることが抑えられる。それゆえ、導電性フィルムを用いたタッチパネルの操作面から見た外観の品質が低くなることが抑えられる。
【００１２】
また、複数の短線部における傾きが不規則に変化するため、複数の第１電極線からなるパターンにおいて、モアレの誘因となる周期性を低く抑えられる。したがって、電極線パターンと画素パターンとを重ね合わせたパターンにてモアレが視認されることが好適に抑えられる。
【００１３】
上記構成において、前記複数の屈曲部には、接続屈曲部が含まれ、前記第１交差方向に沿って互いに隣り合い、かつ、共通の前記第１電極に含まれる２つの前記第１電極線において、一方の前記第１電極線の有する前記接続屈曲部と、他方の前記第１電極線の有する前記接続屈曲部とは接続していてもよい。
【００１４】
上記構成によれば、互いに隣り合う２つの第１電極線が接続屈曲部にて接続していることにより、第１電極線に断線が生じた場合であっても、周囲から絶縁された部分が第１電極線のなかに発生することが抑えられる。こうした導電性フィルムを用いることにより、タッチパネルにおける接触位置の検出精度の低下が抑えられる。
【００１５】
上記構成において、前記離間屈曲部には、円弧状を有する弧状屈曲部が含まれ、前記弧状屈曲部に繋がる前記短線部は、前記弧状屈曲部の構成する円弧の端から、当該端での前記弧状屈曲部の接線に追従するように延びていてもよい。
【００１６】
上記構成によれば、離間屈曲部が折れ線状である構成と比較して、離間屈曲部にて電極線の延びる方向が緩やかに変化するため、電極線の線幅が設計寸法に従って均一に形成されやすい。したがって、屈曲部にて線幅が拡大することに起因して屈曲部が視認されやすくなることが抑えられる。
【００１７】
上記構成において、前記離間屈曲部には、折線屈曲部が含まれ、前記折線屈曲部は、当該折線屈曲部を挟む２つの前記短線部の端部間に位置する複数の点を繋ぐように、前記端部の一方から他方へ向けて延びていてもよい。
【００１８】
上記構成によれば、点状である屈曲部や上記端部間の１つの点を通る折れ線状の屈曲部と比較して、屈曲部にて電極線の延びる方向が緩やかに変化するため、電極線の線幅が設計寸法に従って均一に形成されやすい。したがって、屈曲部にて線幅が拡大することに起因して屈曲部が視認されやすくなることが抑えられる。
【００１９】
上記構成において、複数の仮想屈曲部を有して前記第１方向に所定の周期で屈曲を繰り返す屈曲線形状を有する仮想的な電極線が第１基準電極線であり、前記第１基準電極線における前記周期内での前記第１方向における位置が位相であって、複数の前記第１基準電極線は、前記第１交差方向に沿って、互いに隣り合う２つの前記第１基準電極線にて前記第１交差方向に並ぶ部分の前記位相が反転し、かつ、一方の前記第１基準電極線の前記仮想屈曲部と他方の前記第１基準電極線の前記仮想屈曲部とが接続するように並び、前記第１電極線は、前記第１電極線に対する前記仮想交点が前記第１基準電極線の前記仮想屈曲部に対して変位した位置に配置されるように構成されていてもよい。
上記構成によれば、第１電極線の有する屈曲線形状が的確に実現される。
【００２０】
上記構成において、前記第１基準電極線において前記第１交差方向の一方側で隣り合う前記仮想屈曲部間の前記第１方向に沿った長さが基準周期であり、複数の前記第１基準電極線の配列間隔が基準間隔であり、前記仮想屈曲部を中心とする矩形状の領域が変位領域であって、前記変位領域の前記第１方向に沿った長さは、前記基準周期の０．０５倍以上０．４５倍以下であり、前記変位領域の前記第１交差方向に沿った長さは、前記基準間隔の０．０５倍以上０．４５倍以下であり、複数の前記仮想交点の各々が、各別の前記変位領域内に位置するように、前記第１電極線は構成されていてもよい。
【００２１】
上記構成によれば、変位領域の長さが上記下限値以上であることによって、第１電極線の形状として、基準電極線の周期性が十分に崩れた形状に基づく形状が得られる。一方、変位領域の長さが上記上限値以下であることによって、第１電極線が過度に不規則な屈曲線形状を有することが抑えられるため、電極線パターンにおいて電極線の配置の密度が過度に不均一になることが抑えられる。
【００２２】
上記構成において、前記第２電極は、前記第２方向に延びる屈曲線形状を有する複数の第２電極線を含み、前記第２電極線は、複数の屈曲部と、前記第２電極線に沿って互いに隣り合う前記屈曲部を結ぶ直線形状を有した複数の短線部とを含み、前記第２方向に対する前記短線部の傾きは、前記複数の短線部において前記短線部の並ぶ順序に対し不規則に変化し、前記第２電極線の前記複数の屈曲部には、離間屈曲部が含まれ、前記離間屈曲部の両端に繋がる２つの前記短線部の各々の延長線の交点が仮想交点であり、前記第２交差方向に沿って互いに隣り合う２つの前記第２電極線において、一方の前記第２電極線の前記離間屈曲部と、他方の前記第２電極線の前記離間屈曲部とが、隙間を空けて対向し、これらの前記離間屈曲部の各々に対する前記仮想交点の位置は一致し、複数の仮想屈曲部を有して前記第２方向に所定の周期で屈曲を繰り返す屈曲線形状を有する仮想的な電極線が第２基準電極線であり、前記第２基準電極線における前記周期内での前記第２方向における位置が位相であって、複数の前記第２基準電極線は、前記第２交差方向に沿って、互いに隣り合う２つの前記第２基準電極線にて前記第２交差方向に並ぶ部分の前記位相が反転し、かつ、一方の前記第２基準電極線の前記仮想屈曲部と他方の前記第２基準電極線の前記仮想屈曲部とが接続するように並び、前記第２電極線は、前記第２電極線に対する前記仮想交点が前記第２基準電極線の前記仮想屈曲部に対して変位した位置に配置されるように構成されており、複数の前記第１基準電極線の配列間隔が第１基準間隔であり、前記第１基準電極線において前記第１交差方向の一方側で隣り合う仮想屈曲部間の前記第１方向に沿った長さが第１基準周期であり、複数の前記第２基準電極線の配列間隔が第２基準間隔であり、前記第２基準電極線において前記第２交差方向の一方側で隣り合う仮想屈曲部間の前記第２方向に沿った長さが第２基準周期であり、前記第１基準周期は、前記第２基準間隔の２倍の長さであり、前記第２基準周期は、前記第１基準間隔の２倍の長さであってもよい。
【００２３】
上記構成によれば、複数の第１基準電極線と複数の第２基準電極線が重ねられたパターン内においては、第２基準電極線の屈曲部に対する第１基準電極線の屈曲部の位置が一定となる。したがって、こうした基準電極線のパターンにおける電極線の配置の密度の均一性が高くなるように、電極線を配置することができる。そして、複数の第１電極線と複数の第２電極線とが重ねられた電極線パターンは、基準電極線のパターンに基づくパターンであることから、電極線パターンにおいても、電極線の配置の密度が過度に不均一になることが抑えられる。その結果、電極線の疎密の差に起因して生じる砂目が視認されることが抑えられる。
【００２４】
上記課題を解決するタッチパネルは、上記導電性フィルムと、前記導電性フィルムを覆うカバー層と、前記第１電極と前記第２電極との間の静電容量を測定する周辺回路と、を備える。
上記構成によれば、操作面から見た外観の品質が低くなることが抑えられたタッチパネルが実現される。
【００２５】
上記課題を解決する表示装置は、格子状に配列された複数の画素を有して情報を表示する表示パネルと、前記表示パネルの表示する前記情報を透過するタッチパネルと、前記タッチパネルの駆動を制御する制御部と、を備え、前記タッチパネルは、上記タッチパネルである。
【００２６】
上記構成によれば、タッチパネルの操作面から見た外観の品質が低くなることが抑えられた表示装置が実現され、特に、表示装置の非点灯時に外光の反射によって帯状のパターンが視認されることが抑えられる。
【発明の効果】
【００２７】
本発明によれば、タッチパネルにおいて外観の品質の低下を抑えることができる。
【図面の簡単な説明】
【００２８】
【図１】表示装置の一実施形態について、表示装置の断面構造を示す断面図。
【図２】一実施形態における導電性フィルムの平面構造を示す平面図。
【図３】一実施形態における表示パネルの画素配列を示す平面図。
【図４】一実施形態におけるタッチパネルの電気的構成を説明するための模式図。
【図５】一実施形態におけるセンシング電極線の構成を示す図。
【図６】一実施形態における離間屈曲部の構成を示す図。
【図７】（ａ）は、一実施形態における基準パターンを示す図、（ｂ）は、一実施形態におけるセンシング基準電極線の構成を示す図。
【図８】一実施形態におけるセンシング電極線の作成過程を示す図であって、センシング基準電極線に対して設定されたセンシング変位電極線を示す図。
【図９】一実施形態におけるセンシング電極線の作成過程を示す図であって、センシング変位電極線をセンシング基準電極線とともに示す図。
【図１０】一実施形態におけるセンシング電極線の作成過程を示す図であって、センシング電極線をセンシング基準電極線とともに示す図。
【図１１】一実施形態における対向する離間屈曲部の関係を示す図。
【図１２】一実施形態におけるドライブ電極線の構成を示す図。
【図１３】（ａ）は、一実施形態におけるドライブ電極線をドライブ基準電極線とともに示す図、（ｂ）は、一実施形態におけるドライブ基準電極線の構成を示す図。
【図１４】一実施形態におけるセンシング基準電極線とドライブ基準電極線とから構成されるパターンを示す図。
【図１５】一実施形態におけるセンシング電極線とドライブ電極線とから構成される電極線パターンの一例を示す図。
【図１６】変形例の離間屈曲部の構成を示す図。
【図１７】変形例における表示装置の断面構造を示す断面図。
【図１８】変形例における表示装置の断面構造を示す断面図。
【図１９】従来の電極線の構成を示す図。
【発明を実施するための形態】
【００２９】
図１〜図１５を参照して、導電性フィルム、タッチパネル、および、表示装置の一実施形態について説明する。なお、各図は、一実施形態の導電性フィルム、タッチパネル、および、表示装置を説明するために、これらの構成を模式的に示した図であり、各図に示される構成が有する各部位の大きさの比率は、実際の比率とは異なる場合がある。
【００３０】
［表示装置の構成］
図１を参照して、表示装置の構成について説明する。
図１が示すように、表示装置１００は、例えば、液晶パネルである表示パネル１０と、タッチパネル２０とが、図示しない１つの透明接着層によって貼り合わされた積層体を備え、さらに、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
表示パネル１０の表面には、略矩形形状の表示面が区画され、表示面には、画像データに基づく画像などの情報が表示される。
【００３１】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３２】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う領域として矩形形状を有する複数の領域を区画し、ブラックマトリクスの区画する各領域には、白色光を赤色、緑色、および、青色のいずれかの色の光に変える着色層が位置している。
【００３３】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５は割愛されてもよい。この際に、ＥＬパネルにおいて相互に隣り合う画素の境界部分は、ブラックマトリクスとして機能する。また、表示パネル１０は放電によって発光するプラズマパネルであってもよく、この場合、赤色の蛍光体層と、緑色の蛍光体層と、青色の蛍光体層とを区画する境界部分がブラックマトリクスとして機能する。
【００３４】
タッチパネル２０は、静電容量方式のタッチパネルであり、導電性フィルム２１とカバー層２２とが透明接着層２３によって貼り合わされた積層体であって、表示パネル１０の表示する情報を透過する光透過性を有している。
【００３５】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、導電性フィルム２１を構成している。
【００３６】
透明基板３１は、表示パネル１０の表示面が表示する画像などの情報を透過する光透過性と絶縁性とを有し、表示面の全体に重ねられている。透明基板３１は、例えば、透明ガラス基板や、透明樹脂フィルムや、シリコン基板などの基材から構成される。透明基板３１に用いられる樹脂としては、例えば、ＰＥＴ（Ｐｏｌｙｅｔｈｙｌｅｎｅ  Ｔｅｒｅｐｈｔｈａｌａｔｅ）、ＰＭＭＡ（Ｐｏｌｙｍｅｔｈｙｌ  ｍｅｔｈａｃｒｙｌａｔｅ）、ＰＰ（Ｐｏｌｙｐｒｏｐｙｌｅｎｅ）、ＰＳ（Ｐｏｌｙｓｔｙｒｅｎｅ）などが挙げられる。透明基板３１は、１つの基材から構成される単層構造体であってもよいし、２つ以上の基材が重ねられた多層構造体であってもよい。
【００３７】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００３８】
透明接着層３２は、表示面に表示される画像などの情報を透過する光透過性を有し、透明接着層３２には、例えば、ポリエーテル系接着剤やアクリル系接着剤などが用いられる。
【００３９】
透明誘電体基板３３は、表示面に表示される画像などの情報を透過する光透過性と、電極間における静電容量の検出に適した比誘電率とを有する。透明誘電体基板３３は、例えば、透明ガラス基板や、透明樹脂フィルムや、シリコン基板などの基材から構成される。透明誘電体基板３３に用いられる樹脂としては、例えば、ＰＥＴ、ＰＭＭＡ、ＰＰ、ＰＳなどが挙げられる。透明誘電体基板３３は、１つの基材から構成される単層構造体であってもよいし、２つ以上の基材が重ねられた多層構造体であってもよい。
【００４０】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４１】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４２】
透明接着層２３は、表示面に表示される画像などの情報を透過する光透過性を有し、透明接着層２３には、例えば、ポリエーテル系接着剤やアクリル系接着剤などが用いられる。透明接着層２３として用いられる接着剤の種類は、ウェットラミネート接着剤であってもよいし、ドライラミネート接着剤やホットラミネート接着剤であってもよい。
【００４３】
カバー層２２は、強化ガラスなどのガラス基板や樹脂フィルムなどから形成され、カバー層２２における透明接着層２３とは反対側の面は、タッチパネル２０における表面であって操作面２０Ｓとして機能する。
【００４４】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００４５】
また、タッチパネル２０の製造に際しては、導電性フィルム２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００４６】
［導電性フィルムの平面構造］
図２を参照して、センシング電極３３ＳＰとドライブ電極３１ＤＰとの位置関係を中心に、導電性フィルム２１の平面構造について説明する。なお、図２は、透明誘電体基板３３の表面と対向する方向から導電性フィルム２１を見た図であり、二点鎖線で囲まれた横方向に沿って延びる帯状領域の各々は、１つのセンシング電極３３ＳＰが配置される領域を示し、二点鎖線で囲まれた縦方向に沿って延びる帯状領域の各々は、１つのドライブ電極３１ＤＰが配置される領域を示している。なお、センシング電極３３ＳＰおよびドライブ電極３１ＤＰの数は簡略化して示している。
【００４７】
また、センシング電極３３ＳＰとドライブ電極３１ＤＰとの構成を理解しやすくするために、図２にて最も上側に位置するセンシング電極３３ＳＰについてのみ、センシング電極３３ＳＰを構成するセンシング電極線を太線で示し、図２にて最も左側に位置するドライブ電極３１ＤＰについてのみ、ドライブ電極３１ＤＰを構成するドライブ電極線を細線で示している。
【００４８】
図２が示すように、透明誘電体基板３３のセンシング電極面３３Ｓにおいて、複数のセンシング電極３３ＳＰの各々は、１つの方向である第１電極方向Ｄ１に沿って延びる帯形状を有し、かつ、第１電極方向Ｄ１と直交する第２電極方向Ｄ２に沿って並んでいる。各センシング電極３３ＳＰは、隣り合う他のセンシング電極３３ＳＰと互いに絶縁されている。
【００４９】
各センシング電極３３ＳＰは、複数のセンシング電極線５３ＳＲから構成され、センシング電極面３３Ｓには、これら複数のセンシング電極線５３ＳＲの集合であるセンシング電極線群が配置されている。センシング電極線５３ＳＲの形成材料には、銅や銀やアルミニウムなどの金属膜が用いられ、センシング電極線５３ＳＲは、例えば、センシング電極面３３Ｓに成膜された金属膜がエッチングによってパターニングされることにより形成される。
【００５０】
複数のセンシング電極３３ＳＰの各々は、センシングパッド３３Ｐを介して個別にタッチパネル２０の周辺回路の一例である検出回路に接続され、検出回路によって電流値を測定される。１つのセンシングパッド３３Ｐに接続されて互いに電気的に接続されている複数のセンシング電極線５３ＳＲが、１つのセンシング電極３３ＳＰを構成するセンシング電極線５３ＳＲである。１つのセンシング電極３３ＳＰを構成する複数のセンシング電極線５３ＳＲは、協働して、当該センシング電極３３ＳＰが位置する領域での静電容量の変化の検出に寄与する。
【００５１】
透明基板３１のドライブ電極面３１Ｓにおいて、複数のドライブ電極３１ＤＰの各々は、第２電極方向Ｄ２に沿って延びる帯形状を有し、かつ、第１電極方向Ｄ１に沿って並んでいる。各ドライブ電極３１ＤＰは、隣り合う他のドライブ電極３１ＤＰと互いに絶縁されている。
【００５２】
各ドライブ電極３１ＤＰは、複数のドライブ電極線５１ＤＲから構成され、ドライブ電極面３１Ｓには、これら複数のドライブ電極線５１ＤＲの集合であるドライブ電極線群が配置されている。ドライブ電極線５１ＤＲの形成材料には、銅や銀やアルミニウムなどの金属膜が用いられ、ドライブ電極線５１ＤＲは、例えば、ドライブ電極面３１Ｓに成膜された金属膜がエッチングによってパターニングされることにより形成される。
【００５３】
複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。１つのドライブパッド３１Ｐに接続されて互いに電気的に接続されている複数のドライブ電極線５１ＤＲが、１つのドライブ電極３１ＤＰを構成するドライブ電極線５１ＤＲである。１つのドライブ電極３１ＤＰを構成する複数のドライブ電極線５１ＤＲは、協働して、当該ドライブ電極３１ＤＰが位置する領域での静電容量の変化の検出に寄与する。
【００５４】
透明誘電体基板３３の表面と対向する平面視において、センシング電極３３ＳＰとドライブ電極３１ＤＰとが相互に重なる部分は、図２の二点鎖線によって区画される四角形状を有した容量検出部ＮＤである。１つの容量検出部ＮＤは、１つのセンシング電極３３ＳＰと、１つのドライブ電極３１ＤＰとが立体的に交差する部分であって、タッチパネル２０において使用者の指などが触れている位置を検出することの可能な最小の単位である。
【００５５】
なお、センシング電極線５３ＳＲおよびドライブ電極線５１ＤＲの形成方法としては、上述のエッチングに限らず、例えば印刷法などの他の方法が用いられてもよい。
［表示パネルの平面構造］
図３を参照して、表示パネル１０におけるカラーフィルタ層１５の平面構造、すなわち、表示パネル１０の画素配列について説明する。
【００５６】
図３が示すように、カラーフィルタ層１５のブラックマトリクス１５ａは、上記第１電極方向Ｄ１と上記第２電極方向Ｄ２とに沿って並ぶ矩形形状を有した複数の単位格子から構成される格子パターンを有している。１つの画素１５Ｐは、第１電極方向Ｄ１に沿って連続する３つの単位格子から構成され、複数の画素１５Ｐは、第１電極方向Ｄ１、および、第２電極方向Ｄ２の各々に沿って格子状に並んでいる。
【００５７】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、赤色着色層１５Ｒ、緑色着色層１５Ｇ、および、青色着色層１５Ｂが、第１電極方向Ｄ１に沿って、この順で、繰り返し並んでいる。また、複数の赤色着色層１５Ｒは、第２電極方向Ｄ２に沿って連続して並び、複数の緑色着色層１５Ｇは、第２電極方向Ｄ２に沿って連続して並び、複数の青色着色層１５Ｂは、第２電極方向Ｄ２に沿って連続して並んでいる。
【００５８】
１つの赤色着色層１５Ｒ、１つの緑色着色層１５Ｇ、および、１つの青色着色層１５Ｂは、１つの画素１５Ｐを構成し、複数の画素１５Ｐは、第１電極方向Ｄ１における赤色着色層１５Ｒ、緑色着色層１５Ｇ、および、青色着色層１５Ｂの並ぶ順番を維持した状態で、第１電極方向Ｄ１に沿って並んでいる。また、換言すれば、複数の画素１５Ｐは、第２電極方向Ｄ２に沿って延びるストライプ状に配置されている。
【００５９】
画素１５Ｐにおける第１電極方向Ｄ１に沿った幅が第１画素幅Ｐ１であり、画素１５Ｐにおける第２電極方向Ｄ２に沿った幅が第２画素幅Ｐ２である。第１画素幅Ｐ１、および、第２画素幅Ｐ２の各々は、表示パネル１０の大きさや表示パネル１０に求められる解像度などに応じた値に設定される。
【００６０】
［タッチパネルの電気的構成］
図４を参照して、タッチパネル２０の電気的構成を、表示装置１００の備える制御部の機能とともに説明する。なお、以下では、静電容量方式のタッチパネル２０の一例として、相互容量方式のタッチパネル２０における電気的構成を説明する。
【００６１】
図４が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００６２】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００６３】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６４】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００６５】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００６６】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００６７】
制御部３６は、信号処理部３５ｂの出力した電圧信号に基づいて、タッチパネル２０において使用者の指などが触れている位置を検出し、検出した位置の情報を、表示パネル１０の表示面に表示される情報の生成などの各種の処理に利用する。なお、タッチパネル２０は、上述した相互容量方式のタッチパネル２０に限らず、自己容量方式のタッチパネルであってもよい。
【００６８】
［センシング電極の構成］
図５を参照して、センシング電極３３ＳＰの構成について説明する。
図５が示すように、複数のセンシング電極線５３ＳＲの各々は、屈曲を繰り返しながら第１電極方向Ｄ１に延びる屈曲線形状を有している。
詳細には、センシング電極線５３ＳＲは、複数の屈曲部５３Ｑと、センシング電極線５３ＳＲに沿って互いに隣り合う屈曲部５３Ｑを結ぶ直線形状を有した複数の短線部５３Ｅとを含んでいる。屈曲部５３Ｑは、互いに隣り合う２つの短線部５３Ｅを連結する部分であり、図中山部に相当する屈曲部５３Ｑと、図中谷部に相当する屈曲部５３Ｑとが、センシング電極線５３ＳＲに沿って１つずつ交互に並んでいる。
【００６９】
各センシング電極線５３ＳＲは、全体として第１電極方向Ｄ１に沿って延び、複数のセンシング電極線５３ＳＲは、第２電極方向Ｄ２に沿って並んでいる。１つのセンシング電極３３ＳＰを構成する複数のセンシング電極線５３ＳＲの各々は、第１電極方向Ｄ１における一方の端部にて共通のセンシングパッド３３Ｐに接続されている。図５における破線Ｎ１は、互いに隣り合うセンシング電極３３ＳＰの境界を示す。すなわち、破線Ｎ１を挟んで隣り合うセンシング電極線５３ＳＲは、互いに異なるセンシング電極３３ＳＰを構成し、互いに異なるセンシングパッド３３Ｐに接続されている。
【００７０】
複数の短線部５３Ｅの各々は、短線部５３Ｅの延びる方向に沿って長さＬ１を有し、複数の短線部５３Ｅには、互いに異なる長さＬ１を有する短線部５３Ｅが含まれる。すなわち、複数の短線部５３Ｅにおいて、長さＬ１は一定ではない。第１電極方向Ｄ１に沿って並ぶ複数の短線部５３Ｅの間で、短線部５３Ｅの並びの順序に対し長さＬ１は不規則に変化している。
【００７１】
複数の短線部５３Ｅの各々は、第１電極方向Ｄ１に沿って延びる仮想的な直線である基軸線Ａ１に対して傾きθ１を有し、複数の短線部５３Ｅには、互いに異なる大きさの傾きθ１を有する短線部５３Ｅが含まれる。すなわち、複数の短線部５３Ｅにおいて、傾きθ１の絶対値は一定ではない。傾きθ１は、０度以外の角度であり、互いに隣り合う２つの短線部５３Ｅのうちの一方の傾きθ１は正であり、他方の傾きθ１は負である。換言すれば、１つのセンシング電極線５３ＳＲにおいては、傾きθ１が正である短線部５３Ｅと、傾きθ１が負である短線部５３Ｅとが、第１電極方向Ｄ１に沿って交互に繰り返されている。そして、第１電極方向Ｄ１に沿って並ぶ複数の短線部５３Ｅの間で、短線部５３Ｅの並びの順序に対し傾きθ１の絶対値は不規則に変化している。
【００７２】
複数の屈曲部５３Ｑには、離間屈曲部５３Ｑａと、接続屈曲部５３Ｑｂとが含まれる。離間屈曲部５３Ｑａは、円弧状を有し、当該離間屈曲部５３Ｑａを有するセンシング電極線５３ＳＲと隣り合うセンシング電極線５３ＳＲの離間屈曲部５３Ｑａと隙間を空けて対向している。離間屈曲部５３Ｑａと接続する短線部５３Ｅは、離間屈曲部５３Ｑａの構成する円弧から連続して延びている。
【００７３】
ここで、短線部５３Ｅ上を通って延びる仮想的な直線が仮想線Ｋ１であり、１つの離間屈曲部５３Ｑａを挟む２つの短線部５３Ｅの各々に対して設定される仮想線Ｋ１の交点が仮想交点５３ＫＰである。換言すれば、仮想交点５３ＫＰは、１つの離間屈曲部５３Ｑａの両端に繋がる２つの短線部５３Ｅの各々の延長線の交点である。センシング電極線５３ＳＲに対する第２電極方向Ｄ２の一方側および他方側の各々において、第２電極方向Ｄ２における仮想交点５３ＫＰの位置は、複数の仮想交点５３ＫＰの間で仮想交点５３ＫＰの並びの順序に対し不規則に変化している。
【００７４】
第２電極方向Ｄ２に沿って互いに隣り合うセンシング電極線５３ＳＲにおいて、対向する２つの離間屈曲部５３Ｑａの各々に対する仮想交点５３ＫＰの位置は一致する。換言すれば、第２電極方向Ｄ２に沿って互いに隣り合うセンシング電極線５３ＳＲのうち、一方のセンシング電極線５３ＳＲの離間屈曲部５３Ｑａの両端に繋がる２つの短線部５３Ｅの各々の延長線と、この離間屈曲部５３Ｑａと向かい合う、他方のセンシング電極線５３ＳＲの離間屈曲部５３Ｑａの両端に繋がる２つの短線部５３Ｅの各々の延長線とは、１つの点で交わる。
【００７５】
離間屈曲部５３Ｑａが有する曲率は１つの離間屈曲部５３Ｑａ内において一定である。また、センシング電極線５３ＳＲが有する複数の離間屈曲部５３Ｑａにおいて、各離間屈曲部５３Ｑａの曲率は一定であってもよいし、異なっていてもよい。
【００７６】
接続屈曲部５３Ｑｂは、点状であり、当該接続屈曲部５３Ｑｂを有するセンシング電極線５３ＳＲと隣り合うセンシング電極線５３ＳＲの接続屈曲部５３Ｑｂに接続している。１つのセンシング電極線５３ＳＲにおいて、接続屈曲部５３Ｑｂを挟んで隣り合う２つの短線部５３Ｅは、接続屈曲部５３Ｑｂの位置で接続しており、接続屈曲部５３Ｑｂとこれら２つの短線部５３Ｅとは、折れ線状の部分を形成している。
【００７７】
１つのセンシング電極３３ＳＰ内において、センシング電極線５３ＳＲは、当該センシング電極線５３ＳＲと隣接する他のセンシング電極線５３ＳＲと、接続屈曲部５３Ｑｂ同士が接続することにより、少なくとも一箇所で接続している。
【００７８】
１つの電極線のうちの２箇所で断線が生じると、この電極線にて断線箇所に挟まれた部分は、周囲から絶縁されたフローティング部となり、フローティング部の発生は、接触位置の検出精度の低下を引き起こす。センシング電極線５３ＳＲが、隣接する他のセンシング電極線５３ＳＲと接続屈曲部５３Ｑｂにて接続している構成であれば、センシング電極線５３ＳＲにおいて、接続屈曲部５３Ｑｂを挟む２箇所で断線が生じたとしても、断線箇所に挟まれた部分は接続屈曲部５３Ｑｂにて他のセンシング電極線５３ＳＲと電気的に接続されているため、周囲から絶縁された状態とはならない。したがって、電極線の断線によるフローティング部の発生が抑えられる。
【００７９】
接続屈曲部５３Ｑｂの数が多いほど、フローティング部の発生は抑えられる。ただし、接続屈曲部５３Ｑｂが多すぎると、以下の問題が生じる。すなわち、接続屈曲部５３Ｑｂの周囲には、電極線が形成する４つの角部が集まる。角部の集まる部分の形状を設計形状の通りに精密に形成することは難しく、特に、電極線が金属薄膜のエッチングによって形成される場合には、角部における電極線の線幅が設計寸法よりも太くなって、接続屈曲部５３Ｑｂが点状に視認されやすくなる。したがって、接続屈曲部５３Ｑｂが多すぎると、表示装置１００にて視認される画像の品質の低下を招きかねない。
【００８０】
それゆえ、フローティング部の発生を抑えることと、画像の品質の低下を抑えることとの両立のためには、センシング電極線５３ＳＲに沿って隣り合う２つの接続屈曲部５３Ｑｂの間には、センシング電極線５３ＳＲに沿って５個以上１９個以下の離間屈曲部５３Ｑａが位置することが好ましく、９個以上１３個以下の離間屈曲部５３Ｑａが位置することがさらに好ましい。また、接続屈曲部５３Ｑｂの配置の周期性が高いと、こうした周期性に起因して、表示パネル１０の画素パターンとタッチパネル２０の電極線パターンとを重ね合わせたときに、モアレが視認される場合がある。こうしたモアレを抑えるためには、接続屈曲部５３Ｑｂは不規則な間隔で配置されることが好ましい。
【００８１】
一方、互いに異なるセンシング電極３３ＳＰを構成するセンシング電極線５３ＳＲ、すなわち、破線Ｎ１を挟んで隣り合うセンシング電極線５３ＳＲは、これらの電極線の間で屈曲部５３Ｑの接続する箇所を有さない。
【００８２】
図６を参照して、離間屈曲部５３Ｑａの構成について詳述する。
図６が示すように、離間屈曲部５３Ｑａの構成する円弧は、当該離間屈曲部５３Ｑａの両端に繋がる２つの短線部５３Ｅの各々に対して設定される仮想線Ｋ１に、離間屈曲部５３Ｑａと短線部５３Ｅとの接続点にて接する円Ｃの円弧である。離間屈曲部５３Ｑａと短線部５３Ｅとの接続点は、センシング電極線５３ＳＲの構成する屈曲線にて曲率が０を超える部分と曲率が０である部分との境界である。短線部５３Ｅは、離間屈曲部５３Ｑａの構成する円弧の端から、当該端での離間屈曲部５３Ｑａの接線に追従するように延びている。例えば、短線部５３Ｅが２つの離間屈曲部５３Ｑａに挟まれてこれらの離間屈曲部５３Ｑａに接続するとき、短線部５３Ｅは、２つの離間屈曲部５３Ｑａの間で、これらの離間屈曲部５３Ｑａの構成する円弧の各々の端から、当該端での離間屈曲部５３Ｑａの接線に追従するように延びている。
【００８３】
なお、上記構成は、センシング電極線５３ＳＲを幅のない理想的な線と見做した場合における構成であり、線幅を有する実際のセンシング電極線５３ＳＲにおいては、センシング電極線５３ＳＲの幅方向の中央部を通るように仮想線Ｋ１と円Ｃとが規定されることにより、上記構成が成り立つ。
【００８４】
［センシング電極線の作成方法］
図７〜図１０を参照して、上述の複数のセンシング電極線５３ＳＲからなるパターンの作成方法について説明する。本実施形態のセンシング電極線５３ＳＲのパターンは、複数の菱形が規則的に並ぶパターンである基準パターンを基に作成される。まず、図７を参照して、基準パターンについて説明する。
【００８５】
図７（ａ）が示すように、基準パターンは、第１電極方向Ｄ１と第２電極方向Ｄ２とのいずれに対しても傾斜した方向に延びる複数の直線から構成される格子状のパターンである。そして、基準パターンは、複数の菱形が第１電極方向Ｄ１および第２電極方向Ｄ２の各々に沿って隙間なく並ぶパターンである。
【００８６】
ここで、基準パターンは、折れ線形状を有して第１電極方向Ｄ１に沿って延びる仮想的な電極線である複数のセンシング基準電極線４０ＫＲが、第２電極方向Ｄ２に沿って並ぶパターンであると捉えられる。図７（ｂ）は、基準パターンから、１つのセンシング基準電極線４０ＫＲを抜き出して示す。
【００８７】
複数のセンシング基準電極線４０ＫＲの各々は、直線形状を有して相互に異なる傾きを有する２種類の基準短線部４０Ｅの集合であり、第１電極方向Ｄ１に沿って交互に繰り返される２種類の基準短線部４０Ｅと、２種類の基準短線部４０Ｅが接続される部分である基準屈曲部４０Ｑとを含んでいる。基準屈曲部４０Ｑは点状である。換言すれば、複数のセンシング基準電極線４０ＫＲの各々は、複数の基準短線部４０Ｅが基準屈曲部４０Ｑを介して連なり、第１電極方向Ｄ１に沿って延びる折れ線形状を有する。
【００８８】
２種類の基準短線部４０Ｅの各々は、基準短線部４０Ｅの延びる方向に沿って長さＬｋを有している。複数の基準短線部４０Ｅの長さＬｋはすべて等しい。２種類の基準短線部４０Ｅのうち、一方の基準短線部４０Ｅａは、第１電極方向Ｄ１に沿って延びる直線である基軸線Ａ１に対して角度＋θｋの傾きを有し、他方の基準短線部４０Ｅｂは、基軸線Ａ１に対して角度−θｋの傾きを有している。互いに隣り合う２つの基準短線部４０Ｅのなす角の角度は、基準角度Ｋαｓであって、複数のセンシング基準電極線４０ＫＲにおける基準角度Ｋαｓはすべて等しい。また、基準角度Ｋαｓは、基準屈曲部４０Ｑを通り、第２電極方向Ｄ２に沿った方向に延びる直線によって、二等分される。
【００８９】
換言すれば、複数の基準屈曲部４０Ｑは、第１仮想屈曲部の一例である図中山部と、第２仮想屈曲部の一例である図中谷部とから構成され、第１仮想屈曲部と第２仮想屈曲部とは、センシング基準電極線４０ＫＲに沿って周期的に１つずつ交互に並ぶ。そして、複数の第１仮想屈曲部と複数の第２仮想屈曲部とは、第１電極方向Ｄ１に沿って延びる別々の直線上に位置する。
【００９０】
第１電極方向Ｄ１に沿って隣り合う基準屈曲部４０Ｑの間の長さは、基準周期ＫＷｓである。すなわち、基準周期ＫＷｓは、センシング基準電極線４０ＫＲにおいて第２電極方向Ｄ２の一方側で互いに隣り合う第１仮想屈曲部間の長さであるとともに、上記第２電極方向Ｄ２の他方側で互いに隣り合う第２仮想屈曲部間の長さである。複数のセンシング基準電極線４０ＫＲにおいて、基準周期ＫＷｓは一定である。
【００９１】
複数のセンシング基準電極線４０ＫＲは、位相の反転した状態で第２電極方向Ｄ２に沿って並んでいる。すなわち、第２電極方向Ｄ２に沿って互いに隣り合うセンシング基準電極線４０ＫＲにおいて、第２電極方向Ｄ２に沿って並ぶ部分の位相は、逆位相になっている。位相は、センシング基準電極線４０ＫＲにおける１周期内での第１電極方向Ｄ１における位置である。そして、互いに隣り合う２つのセンシング基準電極線４０ＫＲにて、隣接するセンシング基準電極線４０ＫＲに近い側の基準屈曲部４０Ｑ同士、すなわち、１つのセンシング基準電極線４０ＫＲにおける第２電極方向Ｄ２の一方側の基準屈曲部４０Ｑと、もう１つのセンシング基準電極線４０ＫＲにおける第２電極方向Ｄ２の他方側の基準屈曲部４０Ｑとが接続している。換言すれば、互いに隣り合う２つのセンシング基準電極線４０ＫＲにおいて、一方のセンシング基準電極線４０ＫＲの第１仮想屈曲部と、他方のセンシング基準電極線４０ＫＲの第２仮想屈曲部とが接続している。
【００９２】
複数のセンシング基準電極線４０ＫＲの配列間隔、すなわち、互いに隣り合うセンシング基準電極線４０ＫＲにおける、第１仮想屈曲部である基準屈曲部４０Ｑ同士の間、もしくは、第２仮想屈曲部である基準屈曲部４０Ｑ同士の間の第２電極方向Ｄ２に沿った距離が、基準間隔ＫＰｓである。換言すれば、基準間隔ＫＰｓは、１つのセンシング基準電極線４０ＫＲにおける第２電極方向Ｄ２の一方側に位置する基準屈曲部４０Ｑ、すなわち第１仮想屈曲部と、第２電極方向Ｄ２の他方側に位置する基準屈曲部４０Ｑ、すなわち第２仮想屈曲部との間の第２電極方向Ｄ２に沿った長さであり、第２電極方向Ｄ２において１つのセンシング基準電極線４０ＫＲが占める幅である。
【００９３】
基準角度Ｋαｓ、基準周期ＫＷｓ、および、基準間隔ＫＰｓの各パラメータは、フーリエ解析を利用して、基準パターンと表示パネル１０の画素パターンとを重ね合わせたときに、モアレの発生が抑えられる値に設定されることが好ましい。具体的には、センシング電極線５３ＳＲの作成に用いられる基準パターンとドライブ電極線５１ＤＲの作成に用いられる基準パターンとを重ね合わせたパターンを、所定周期の画素パターンと重ね合わせたときに生じるモアレのコントラストや、モアレとして視認される縞のピッチおよび角度を算出する。算出結果に基づき、モアレが視認され難くなるように、各パラメータの値が設定される。このとき、互いに異なるサイズや互いに異なる解像度の複数の表示パネル１０が有する画素パターンに対し、共通してモアレの発生が抑えられる各パラメータの値が求められることが好ましい。重ね合わせの対象となる複数の表示パネル１０は、少なくとも、互いに異なるサイズを有する２種類の表示パネル、もしくは、互いに異なる解像度を有する２種類の表示パネルを含んでいればよい。
【００９４】
フーリエ解析では、重ね合わされるパターンに対してフーリエ変換を行って周波数情報を取得し、得られた二次元フーリエパターンの畳み込み（Ｃｏｎｖｏｌｕｔｉｏｎ）を計算した上で、２次元マスクをかけて、逆フーリエ変換によって画像の再構成を行う。モアレのピッチは、重ね合わされる元のパターンの周期より大きいため、上記２次元マスクは、２次元マスクによって高周波成分が取り除かれ、低周波成分のみが取り出されるようにかければよい。マスクの大きさを、人間の視覚応答特性に応じて決まるサイズに設定することによって、画像の再構成後に、モアレのコントラストやピッチや角度を算出することに基づき、視認されるモアレの程度を判断できる。
【００９５】
また、基準間隔ＫＰｓは、表示パネル１０における第１画素幅Ｐ１および第２画素幅Ｐ２の１０％以上６００％以下の範囲で設定されることが好ましい。第１画素幅Ｐ１と第２画素幅Ｐ２とが異なる場合には、第１画素幅Ｐ１および第２画素幅Ｐ２のうちの大きい方の画素幅が基準とされればよい。基準間隔ＫＰｓが第１画素幅Ｐ１および第２画素幅Ｐ２の１０％以上であれば、センシング基準電極線４０ＫＲを基に作成されるパターン内にて電極線の占める割合が過剰になりすぎないため、タッチパネル２０における光の透過率の低下が抑えられる。一方、基準間隔ＫＰｓが第１画素幅Ｐ１および第２画素幅Ｐ２の６００％以下であれば、タッチパネルにおける位置の検出精度が高められる。
【００９６】
また、基準角度Ｋαｓは、９５度以上１５０度以下であることが好ましく、１００度以上１４０度以下であることがさらに好ましい。基準角度Ｋαｓが９５度以上であると、基準短線部４０Ｅの数が多くなってパターン内で電極線の占める割合が過剰になることが抑えられる。一方、基準角度Ｋαｓが１５０度以下であると、基準間隔ＫＰｓや基準周期ＫＷｓを適切な範囲内の値に設定することが容易となる。
図８〜図１０を参照して、複数のセンシング電極線５３ＳＲからなるパターンを、基準パターンを基に作成する方法について説明する。
【００９７】
図８が示すように、まず、複数のセンシング基準電極線４０ＫＲのうち、位相の揃っているセンシング基準電極線４０ＫＲに対し、これらのセンシング基準電極線４０ＫＲにおける基準屈曲部４０Ｑの位置を不規則に変位させた折れ線形状を有するセンシング変位電極線４５ＴＲが設定される。位相の揃っているセンシング基準電極線４０ＫＲは、すなわち、第２電極方向Ｄ２に並ぶセンシング基準電極線４０ＫＲのなかで、第２電極方向Ｄ２に沿って１つおきに選択されるセンシング基準電極線４０ＫＲである。
【００９８】
センシング変位電極線４５ＴＲが有する変位屈曲部４５Ｑは、センシング基準電極線４０ＫＲの基準屈曲部４０Ｑに対して変位した位置に配置される。そして、変位屈曲部４５Ｑは、基準屈曲部４０Ｑごとに設定される変位領域Ｓｓ内に位置する。すなわち、基準屈曲部４０Ｑを、センシング基準電極線４０ＫＲに沿った基準屈曲部４０Ｑの並びの順序に対して変位領域Ｓｓ内で不規則に変位した位置に、変位屈曲部４５Ｑが位置する。
【００９９】
変位領域Ｓｓは、基準屈曲部４０Ｑを中心とする矩形形状を有する。詳細には、変位領域Ｓｓを構成する矩形は、第１電極方向Ｄ１に沿って延びる辺と第２電極方向Ｄ２に沿って延びる辺とを有し、矩形の対角線の交点に基準屈曲部４０Ｑが位置する。変位領域Ｓｓにおける第１電極方向Ｄ１に沿った長さｄｓ１は、基準周期ＫＷｓの０．０５倍以上０．４５倍以下の範囲で設定されることが好ましい。変位領域Ｓｓにおける第２電極方向Ｄ２に沿った長さｄｓ２は、基準間隔ＫＰｓの０．０５倍以上０．４５倍以下の範囲で設定されることが好ましい。
【０１００】
図９が示すように、続いて、第２電極方向Ｄ２に沿って隣り合う２つのセンシング変位電極線４５ＴＲの間に、これらのセンシング変位電極線４５ＴＲの変位屈曲部４５Ｑを順に結ぶ折れ線形状を有するセンシング変位電極線４６ＴＲが設定される。すなわち、センシング変位電極線４６ＴＲは、互いに隣り合う２つのセンシング変位電極線４５ＴＲのうち、１つのセンシング変位電極線４５ＴＲにおいて第２電極方向Ｄ２の一方側に位置する変位屈曲部４５Ｑと、もう１つのセンシング変位電極線４５ＴＲにおいて第２電極方向Ｄ２の他方側に位置する変位屈曲部４５Ｑとを、交互に繋ぐことによって作成される折れ線形状を有する。換言すれば、センシング変位電極線４６ＴＲは、互いに隣り合う２つのセンシング変位電極線４５ＴＲにおいて、隣接するセンシング変位電極線４５ＴＲに近い側の変位屈曲部４５Ｑを結ぶ折れ線形状を有する。
【０１０１】
センシング変位電極線４６ＴＲが有する変位屈曲部４６Ｑの位置は、変位屈曲部４５Ｑの位置と一致する。センシング変位電極線４６ＴＲは、センシング変位電極線４５ＴＲの基となるセンシング基準電極線４０ＫＲとは逆位相のセンシング基準電極線４０ＫＲに対して、基準屈曲部４０Ｑの位置を変位領域Ｓｓ内で不規則に変位させた折れ線形状を有する。
【０１０２】
図１０が示すように、続いて、センシング変位電極線４５ＴＲ，４６ＴＲの一部の変位屈曲部４５Ｑ，４６Ｑについて、変位屈曲部４５Ｑ，４６Ｑの付近の形状を、円弧状に変更することによって、センシング電極線５３ＳＲが作成される。このとき、互いに隣り合うセンシング変位電極線４５ＴＲ，４６ＴＲであって、共通のセンシング電極３３ＳＰを構成するセンシング電極線５３ＳＲの基となるセンシング変位電極線４５ＴＲ，４６ＴＲについては、これらのセンシング変位電極線４５ＴＲ，４６ＴＲが共有する変位屈曲部４５Ｑ，４６Ｑの一部が円弧状に変更される。円弧状に変更された部分が、センシング電極線５３ＳＲの離間屈曲部５３Ｑａであり、変位屈曲部４５Ｑ，４６Ｑの位置が、仮想交点５３ＫＰの位置に相当する。一方、変位屈曲部４５Ｑ，４６Ｑのうちで円弧状に変更されなかった部分が、センシング電極線５３ＳＲの接続屈曲部５３Ｑｂである。
【０１０３】
また、互いに隣り合うセンシング変位電極線４５ＴＲ，４６ＴＲであって、互いに異なるセンシング電極３３ＳＰを構成するセンシング電極線５３ＳＲの基となるセンシング変位電極線４５ＴＲ，４６ＴＲについては、これらのセンシング変位電極線４５ＴＲ，４６ＴＲが共有する変位屈曲部４５Ｑ，４６Ｑのすべてが円弧状に変更される。
【０１０４】
以上のように、センシング電極線５３ＳＲに対する仮想交点５３ＫＰは、センシング基準電極線４０ＫＲの基準屈曲部４０Ｑに対し、基準屈曲部４０Ｑごとの変位領域Ｓｓ内で、基準屈曲部４０Ｑの並びの順序に対して不規則に変位した位置に配置される。また、センシング電極線５３ＳＲの接続屈曲部５３Ｑｂも、基準屈曲部４０Ｑに対し、変位領域Ｓｓ内で不規則に変位した位置に配置される。すなわち、仮想交点５３ＫＰおよび接続屈曲部５３Ｑｂは、基準屈曲部４０Ｑに対し、基準屈曲部４０Ｑごとの変位領域Ｓｓ内で、センシング基準電極線４０ＫＲにおける基準屈曲部４０Ｑの並びの順序に対して不規則に変位した位置に配置される。
【０１０５】
なお、上述のセンシング変位電極線４５ＴＲ，４６ＴＲは、センシング基準電極線４０ＫＲからセンシング電極線５３ＳＲを作成する過程の説明のために用いた仮想的な電極線であり、センシング変位電極線４５ＴＲ，４６ＴＲの明示的な設定を経ずにセンシング電極線５３ＳＲが作成されてもよい。
図１１を参照して、センシング基準電極線４０ＫＲの基準間隔ＫＰｓと、センシング電極線５３ＳＲの離間屈曲部５３Ｑａの形状との関係について説明する。
【０１０６】
図１１が示すように、第２電極方向Ｄ２に沿って互いに隣り合うセンシング電極線５３ＳＲにおいて対向する離間屈曲部５３Ｑａについて、これらの離間屈曲部５３Ｑａの間の第２電極方向Ｄ２に沿った最短距離が、離間距離Ｇｐである。
【０１０７】
離間距離Ｇｐは、５μｍ以上であることが好ましい。離間距離Ｇｐが５μｍ以上であれば、離間屈曲部５３Ｑａの形状が精密に形成されやすい。また、離間距離Ｇｐは、基準間隔ＫＰｓの０．２５倍以下であることが好ましい。離間距離Ｇｐが大きすぎると、互いに隣り合うセンシング電極線５３ＳＲの間の隙間が周期性を有するパターンとして認識されやすくなり、こうした周期性に起因して、表示パネル１０の画素パターンとタッチパネル２０の電極線パターンとを重ね合わせたときに、モアレが視認される場合がある。離間距離Ｇｐが基準間隔ＫＰｓの０．２５倍以下であれば、こうしたモアレが視認されることが好適に抑えられる。なお、図面においては、対向する離間屈曲部５３Ｑａ間の距離を実際よりも強調して示している。
【０１０８】
また、離間屈曲部５３Ｑａは、第１電極方向Ｄ１において離間屈曲部５３Ｑａの占める幅が、センシング電極線５３ＳＲの線幅の２倍以上となる曲率半径Ｒｓ、すなわち、円Ｃの半径Ｒｓを有することが好ましい。さらに、モアレを抑えるためには、基準間隔ＫＰｓに対する離間屈曲部５３Ｑａの曲率半径Ｒｓの比は、０．５以下であることが好ましい。曲率半径Ｒｓが大きくなるほど、短線部５３Ｅの長さは短くなる。
【０１０９】
［ドライブ電極の構成］
図１２を参照して、ドライブ電極３１ＤＰの構成について説明する。
図１２が示すように、ドライブ電極線５１ＤＲは、屈曲を繰り返しながら第２電極方向Ｄ２に延びる屈曲線形状を有しており、センシング電極線５３ＳＲと同様に、規則的な折れ線形状を有する基準電極線を基に作成される。
【０１１０】
詳細には、ドライブ電極線５１ＤＲは、離間屈曲部５１Ｑａと接続屈曲部５１Ｑｂとを含む複数の屈曲部５１Ｑと、ドライブ電極線５１ＤＲに沿って互いに隣り合う屈曲部５１Ｑを結ぶ直線形状を有した複数の短線部５１Ｅとを含んでいる。
【０１１１】
複数のドライブ電極線５１ＤＲは、第１電極方向Ｄ１に沿って並んでいる。１つのドライブ電極３１ＤＰを構成する複数のドライブ電極線５１ＤＲは、第２電極方向Ｄ２における一方の端部にて共通のドライブパッド３１Ｐに接続されている。図１２における破線Ｎ２は、互いに隣り合うドライブ電極３１ＤＰの境界を示す。すなわち、破線Ｎ２を挟んで隣り合うドライブ電極線５１ＤＲは、互いに異なるドライブ電極３１ＤＰを構成し、互いに異なるドライブパッド３１Ｐに接続されている。
【０１１２】
短線部５１Ｅの延びる方向に沿った長さは、第２電極方向Ｄ２に沿って並ぶ複数の短線部５３Ｅの間で、短線部５３Ｅの並びの順序に対し不規則に変化している。また、第２電極方向Ｄ２に沿って延びる直線に対する短線部５１Ｅの傾きは、複数の短線部５３Ｅの間で、短線部５３Ｅの並びの順序に対し不規則に変化している。そして、１つのドライブ電極線５１ＤＲにおいては、上記傾きが正である短線部５１Ｅと、上記傾きが負である短線部５１Ｅとが、第２電極方向Ｄ２に沿って交互に繰り返されている。
【０１１３】
離間屈曲部５１Ｑａは、円弧状を有し、当該離間屈曲部５１Ｑａを有するドライブ電極線５１ＤＲと隣り合うドライブ電極線５１ＤＲの離間屈曲部５１Ｑａと隙間を空けて対向している。離間屈曲部５１Ｑａと繋がる短線部５１Ｅは、離間屈曲部５１Ｑａの構成する円弧の端から、当該端での離間屈曲部５１Ｑａの接線に追従するように延びている。離間屈曲部５１Ｑａが有する曲率は１つの離間屈曲部５１Ｑａ内において一定である。また、ドライブ電極線５１ＤＲが有する複数の離間屈曲部５１Ｑａにおいて、各離間屈曲部５１Ｑａの曲率は一定であってもよいし、異なっていてもよい。
【０１１４】
１つの離間屈曲部５１Ｑａの両端に繋がる２つの短線部５１Ｅの各々の延長線の交点が、仮想交点５１ＫＰであり、第１電極方向Ｄ１に沿って互いに隣り合うドライブ電極線５１ＤＲにおいて、対向する２つの離間屈曲部５１Ｑａの各々に対する仮想交点５１ＫＰの位置は一致する。
【０１１５】
接続屈曲部５１Ｑｂは、点状であり、当該接続屈曲部５１Ｑｂを有するドライブ電極線５１ＤＲと隣り合うドライブ電極線５１ＤＲの接続屈曲部５１Ｑｂと接続している。１つのドライブ電極線５１ＤＲにおいて、接続屈曲部５１Ｑｂを挟んで隣り合う２つの短線部５１Ｅは、接続屈曲部５１Ｑｂの位置で接続しており、接続屈曲部５１Ｑｂとこれら２つの短線部５１Ｅとは、折れ線状の部分を形成している。
【０１１６】
１つのドライブ電極３１ＤＰ内において、ドライブ電極線５１ＤＲは、当該ドライブ電極線５１ＤＲと隣接する他のドライブ電極線５１ＤＲと、接続屈曲部５１Ｑｂ同士が接続することにより、少なくとも一箇所で接続している。フローティング部の発生を抑えることと、画像の品質の低下を抑えることとの両立のためには、ドライブ電極線５１ＤＲに沿って隣り合う２つの接続屈曲部５１Ｑｂの間には、ドライブ電極線５１ＤＲに沿って５個以上１９個以下の離間屈曲部５１Ｑａが位置することが好ましく、９個以上１３個以下の離間屈曲部５１Ｑａが位置することがさらに好ましい。また、接続屈曲部５１Ｑｂは不規則な間隔で配置されることが好ましい。
【０１１７】
一方、互いに異なるドライブ電極３１ＤＰを構成するドライブ電極線５１ＤＲ、すなわち、破線Ｎ２を挟んで隣り合うドライブ電極線５１ＤＲは、これらの電極線の間で屈曲部５１Ｑの接続する箇所を有さない。
【０１１８】
図１３（ａ）が示すように、複数のドライブ電極線５１ＤＲから構成されるパターンは、センシング電極線５３ＳＲのパターンと同様に、複数の菱形が規則的に並ぶパターンである基準パターンを基に作成される。
【０１１９】
基準パターンは、折れ線形状を有して第２電極方向Ｄ２に沿って延びる仮想的な電極線である複数のドライブ基準電極線４１ＫＲが、第１電極方向Ｄ１に沿って並ぶパターンであると捉えられる。図１３（ｂ）は、基準パターンから、１つのドライブ基準電極線４１ＫＲを抜き出して示す。
【０１２０】
ドライブ基準電極線４１ＫＲは、第１電極方向Ｄ１に沿って交互に繰り返される２種類の基準短線部４１Ｅと、２種類の基準短線部４１Ｅが接続される部分である基準屈曲部４１Ｑとを含んでいる。２種類の基準短線部４１Ｅの各々の長さは一定である。２種類の基準短線部４１Ｅのうち、一方の基準短線部４１Ｅが第２電極方向Ｄ２に沿って延びる直線に対して有する傾きは正であり、他方の基準短線部４１Ｅが第２電極方向Ｄ２に沿って延びる直線に対して有する傾きは負であり、これらの傾きの絶対値は等しい。ドライブ基準電極線４１ＫＲにおける第１電極方向Ｄ１の一方側に位置する基準屈曲部４１Ｑと他方側に位置する基準屈曲部４１Ｑとは、第２電極方向Ｄ２に沿って延びる別々の直線上に位置する。
【０１２１】
互いに隣り合う２つの基準短線部４１Ｅのなす角の角度は、基準角度Ｋαｄであって、複数のドライブ基準電極線４１ＫＲにおける基準角度Ｋαｄはすべて等しい。第２電極方向Ｄ２に沿って隣り合う基準屈曲部４１Ｑの間の長さは、基準周期ＫＷｄである。複数のドライブ基準電極線４１ＫＲにおいて、基準周期ＫＷｄは一定である。
【０１２２】
複数のドライブ基準電極線４１ＫＲは、位相の反転した状態で第１電極方向Ｄ１に沿って並んでいる。すなわち、第１電極方向Ｄ１に沿って互いに隣り合うドライブ基準電極線４１ＫＲにおいて、第１電極方向Ｄ１に沿って並ぶ部分の位相は、逆位相になっている。位相は、ドライブ基準電極線４１ＫＲにおける１周期内での第２電極方向Ｄ２における位置である。そして、互いに隣り合う２つのドライブ基準電極線４１ＫＲにて、１つのドライブ基準電極線４１ＫＲにおける第１電極方向Ｄ１の一方側の基準屈曲部４１Ｑと、もう１つのドライブ基準電極線４１ＫＲにおける第１電極方向Ｄ１の他方側の基準屈曲部４１Ｑとが接続している。
【０１２３】
複数のドライブ基準電極線４１ＫＲの配列間隔、すなわち、互いに隣り合うドライブ基準電極線４１ＫＲにおける、第１電極方向Ｄ１の一方側の基準屈曲部４０Ｑ同士の間の第１電極方向Ｄ１に沿った距離が、基準間隔ＫＰｄである。
【０１２４】
ドライブ基準電極線４１ＫＲにおいて、基準角度Ｋαｄ、基準周期ＫＷｄ、および、基準間隔ＫＰｄの各々は、上述のセンシング基準電極線４０ＫＲの説明にて基準角度Ｋαｓ、基準周期ＫＷｓ、および、基準間隔ＫＰｓの各々について示した条件と同じ条件を満たすように設定されることが好ましい。すなわち、基準角度Ｋαｄ、基準周期ＫＷｄ、および、基準間隔ＫＰｄの各パラメータは、基準パターンと表示パネル１０の画素パターンとを重ね合わせたときに、モアレの発生が抑えられる値に設定されることが好ましい。そして、基準角度Ｋαｄは、９５度以上１５０度以下であることが好ましく、１００度以上１４０度以下であることがさらに好ましい。また、基準間隔ＫＰｄは、表示パネル１０における第１画素幅Ｐ１および第２画素幅Ｐ２の１０％以上６００％以下の範囲で設定されることが好ましい。
【０１２５】
ドライブ電極線５１ＤＲも、センシング電極線５３ＳＲと同様の手順で、基準パターンを基に作成される。すなわち、複数のドライブ基準電極線４１ＫＲのうち、位相の揃っているドライブ基準電極線４１ＫＲに対し、これらのドライブ基準電極線４１ＫＲにおける基準屈曲部４１Ｑの位置を不規則に変位させた折れ線形状を有する仮想的な電極線である変位電極線が設定される。そして、隣り合う２つの変位電極線の間に、これらの変位電極線の屈曲部である変位屈曲部を順に結ぶ折れ線形状を有する変位電極線がさらに設定される。こうして設定された変位電極線の一部の変位屈曲部について、変位屈曲部の付近の形状を、円弧状に変更することによって、ドライブ電極線５１ＤＲが作成される。
【０１２６】
複数の変位屈曲部のうちで円弧状に変更された部分が、ドライブ電極線５１ＤＲの離間屈曲部５１Ｑａであり、変位屈曲部の位置が、仮想交点５１ＫＰの位置に相当する。一方、変位屈曲部のうちで円弧状に変更されなかった部分が、ドライブ電極線５１ＤＲの接続屈曲部５１Ｑｂである。仮想交点５１ＫＰおよび接続屈曲部５１Ｑｂは、ドライブ基準電極線４１ＫＲの基準屈曲部４１Ｑに対し、基準屈曲部４１Ｑごとの変位領域Ｓｄ内で、基準屈曲部４１Ｑの並びの順序に対して不規則に変位した位置に配置される。
【０１２７】
変位領域Ｓｄは、基準屈曲部４１Ｑを中心とする矩形状を有する。変位領域Ｓｄにおける第２電極方向Ｄ２に沿った長さｄｄ１は、基準周期ＫＷｄの０．０５倍以上０．４５倍以下の範囲で設定されることが好ましい。変位領域Ｓｄにおける第１電極方向Ｄ１に沿った長さｄｄ２は、基準間隔ＫＰｄの０．０５倍以上０．４５倍以下の範囲で設定されることが好ましい。
【０１２８】
ドライブ電極３１ＤＰにおいても、第１電極方向Ｄ１に沿って互いに隣り合うドライブ電極線５１ＤＲにおいて対向する離間屈曲部５１Ｑａについて、これらの離間屈曲部５１Ｑａの間の第１電極方向Ｄ１に沿った最短距離である離間距離は、５μｍ以上であることが好ましい。また、離間距離は、基準間隔ＫＰｄの０．２５倍以下であることが好ましい。
【０１２９】
［電極線パターンの構成］
図１４および図１５を参照して、複数のセンシング電極線５３ＳＲと複数のドライブ電極線５１ＤＲとが重ね合わされることによって形成されるパターンである電極線パターンについて説明する。
【０１３０】
まず、図１４を参照して、センシング基準電極線４０ＫＲとドライブ基準電極線４１ＫＲとの好ましい形状および配置について説明する。なお、図１４においては、センシング基準電極線４０ＫＲとドライブ基準電極線４１ＫＲとの識別を容易にするために、センシング基準電極線４０ＫＲを黒太線で示し、ドライブ基準電極線４１ＫＲを白抜き線で示している。
【０１３１】
複数のセンシング基準電極線４０ＫＲから構成されるパターンと、複数のドライブ基準電極線４１ＫＲから構成されるパターンとは、同一の格子状のパターンであることが好ましい。すなわち、センシング基準電極線４０ＫＲの基準周期ＫＷｓは、ドライブ基準電極線４１ＫＲの基準間隔ＫＰｄの２倍であり（ＫＷｓ＝２×ＫＰｄ）、ドライブ基準電極線４１ＫＲの基準周期ＫＷｄは、センシング基準電極線４０ＫＲの基準間隔ＫＰｓの２倍である（ＫＷｄ＝２×ＫＰｓ）ことが好ましい。
【０１３２】
導電性フィルム２１では、透明誘電体基板３３の表面と対向する方向から見て、複数のセンシング電極線５３ＳＲから構成されるパターンと、複数のドライブ電極線５１ＤＲから構成されるパターンとが重ね合わされたパターンである電極線パターンが形成される。このとき、センシング電極３３ＳＰの延びる方向とドライブ電極３１ＤＰの延びる方向とが直交するように、これらの電極線が重ねられる。こうした電極線パターンは、複数のセンシング基準電極線４０ＫＲから構成されるパターンと、複数のドライブ基準電極線４１ＫＲから構成されるパターンとが、センシング基準電極線４０ＫＲの延びる方向とドライブ基準電極線４１ＫＲの延びる方向とが直交するように重ね合わされたパターンに基づくパターンである。
【０１３３】
図１４が示すように、ＫＷｓ＝２×ＫＰｄ、かつ、ＫＷｄ＝２×ＫＰｓである場合、ドライブ基準電極線４１ＫＲに対するセンシング基準電極線４０ＫＲの配置、すなわち、基準屈曲部４１Ｑや基準短線部４１Ｅに対する基準屈曲部４０Ｑや基準短線部４０Ｅの位置が、パターン内で一定となる。したがって、基準電極線４０ＫＲ，４１ＫＲから構成されるパターンにおける電極線の配置の密度の均一性を高めることが可能であり、ひいては、センシング電極線５３ＳＲおよびドライブ電極線５１ＤＲから構成される電極線パターンにおける電極線の配置の密度がパターン内で過度に不均一になることが抑えられる。
【０１３４】
例えば、図１４が示すように、センシング基準電極線４０ＫＲのパターンと、ドライブ基準電極線４１ＫＲのパターンとは、各パターンが構成する格子が２分の１ピッチずれるように配置される。換言すれば、基準電極線４０ＫＲ，４１ＫＲから構成されるパターンにおいて、センシング基準電極線４０ＫＲの基準屈曲部４０Ｑは、互いに隣り合うドライブ基準電極線４１ＫＲによって形成される菱形の中央部に位置する。また、ドライブ基準電極線４１ＫＲの基準屈曲部４０Ｑは、互いに隣り合うセンシング基準電極線４０ＫＲによって形成される菱形の中央部に位置する。そして、センシング基準電極線４０ＫＲの基準短線部４０Ｅの中点と、ドライブ基準電極線４１ＫＲの基準短線部４１Ｅの中点とが交差する。
【０１３５】
図１５は、図１４に示した基準電極線４０ＫＲ，４１ＫＲから構成されるパターンを基に作成されたセンシング電極線５３ＳＲおよびドライブ電極線５１ＤＲから構成される電極線パターンを示す。
【０１３６】
電極線パターンを構成するセンシング電極線５３ＳＲおよびドライブ電極線５１ＤＲは、不規則に屈曲する屈曲線形状を有するため、電極線パターンには、電極線の疎密の差、すなわち、電極線が密に配置される領域と電極線が疎らである領域とが生じる場合がある。しかしながら、パターンにおける電極線の疎密が過度に不均一であると、電極線の疎密の差が、電極線パターンが位置する領域内に明るさ等のムラを生じさせ、結果として、砂目と呼ばれる現象を引き起こす要因となる場合がある。砂目は、タッチパネル２０の操作面２０Ｓから見て、砂状に分布するちらつきや画面のぎらつきが感じられる現象である。
【０１３７】
基準電極線４０ＫＲ，４１ＫＲから構成されるパターンとして、電極線の配置の密度の均一性が高いパターンを利用して電極線パターンを作成することによって、電極線パターンにおける電極線の配置の密度がパターン内で過度に不均一になることが抑えられる。
【０１３８】
［作用］
本実施形態の作用を説明する。直線状に延びる電極線が交差するパターンのように、同一形状の矩形が繰り返されるパターンと比較して、本実施形態の電極線パターンは、矩形とは異なる図形から構成されるパターンであるため、パターンの周期性が低い。したがって、画素パターンと電極線パターンとのずれが、２つの周期構造のずれとして認識され難くなるため、本実施形態の電極線パターンを表示パネル１０の画素パターンと重ね合わせた場合に、モアレが視認されることが抑えられる。その結果、表示装置１００にて視認される画像の品質の低下が抑えられる。
【０１３９】
特に、電極線パターンを構成するセンシング電極線５３ＳＲおよびドライブ電極線５１ＤＲの各々が不規則な屈曲線形状を有するため、規則的な屈曲線形状を有する電極線からパターンが構成される場合と比較して、パターンの周期性がより低くなる。したがって、電極線パターンと画素パターンとを重ね合わせた場合に、モアレが視認されることがより好適に抑えられる。
【０１４０】
また、基準電極線４０ＫＲ，４１ＫＲのパターンが有する周期性の一部は、センシング電極線５３ＳＲおよびドライブ電極線５１ＤＲから構成される電極線パターンにも残存し得る。本実施形態では、基準角度Ｋαｓ，Ｋαｄ、基準周期ＫＷｓ，ＫＷｄ、および、基準間隔ＫＰｓ，ＫＰｄの各々が、モアレの生じ難い値に設定されている基準電極線４０ＫＲ，４１ＫＲのパターンから電極線パターンが作成される。そのため、電極線パターンと画素パターンとを重ね合わせた場合に、基準電極線４０ＫＲ，４１ＫＲの周期性に起因したモアレが視認されることも抑えられる。
【０１４１】
そして、複数のセンシング電極線５３ＳＲと複数のドライブ電極線５１ＤＲとの各々は、互いに隣り合う電極線において位相が反転し、かつ、屈曲部同士が接続している基準電極線４０ＫＲ，４１ＫＲのパターンに対して屈曲部の位置を不規則に変位することに基づき作成されたパターンである。それゆえ、互いに隣り合うセンシング電極線５３ＳＲにおいて、離間屈曲部５３Ｑａが対向し、これらの離間屈曲部５３Ｑａに対する仮想交点５３ＫＰの位置は一致する。同様に、互いに隣り合うドライブ電極線５１ＤＲにおいて、離間屈曲部５１Ｑａは対向し、これらの対向する離間屈曲部５１Ｑａに対する仮想交点５１ＫＰの位置は一致する。
【０１４２】
こうした構成においては、第１電極方向Ｄ１や第２電極方向Ｄ２に沿って、同一の傾きの短線部が並ぶことは起こらない。そのため、同一の傾きの短線部が並ぶ帯状の領域が電極線の並ぶ方向に延びるように形成されること、さらに、短線部の延びる方向が互いに異なる２種類の帯状の領域が交互に並ぶことは起こらない。したがって、帯状のパターンが、特に、表示装置１００の非点灯時に外光の反射によって視認されることが抑えられ、操作面２０Ｓから見た外観の品質が低くなることが抑えられる。
【０１４３】
また、上述のように、電極線パターンにて角部の集まる部分では、角部における電極線の線幅が設計寸法よりも太くなって、角部が点状に視認されやすくなる。したがって、基準電極線４０ＫＲ，４１ＫＲの基準屈曲部４０Ｑ，４１Ｑの位置を変位させたのみである変位電極線のパターンを電極線パターンとすると、換言すれば、電極線パターンが含むすべての屈曲部が接続屈曲部５３Ｑｂ，５１Ｑｂであると、角部が多いために点状に視認される部分が増え、表示装置１００にて視認される画像の品質の低下が生じる。これに対し、本実施形態では、一部の屈曲部５３Ｑ，５３Ｑが円弧状の離間屈曲部５３Ｑａ，５１Ｑａとされているため、画像の品質の低下が抑えられる。また、一部の屈曲部５３Ｑ，５１Ｑは接続屈曲部５３Ｑｂ，５１Ｑｂとされ、接続屈曲部５３Ｑｂ，５１Ｑｂにて互いに隣接する電極線が接続しているため、電極線の断線によるフローティング部の発生が抑えられる。
【０１４４】
なお、上記実施形態において、透明誘電体基板３３は透明誘電体層の一例である。そして、透明誘電体基板３３の表面を第１面とするとき、透明誘電体基板３３の裏面が第２面であり、センシング電極３３ＳＰが第１電極であり、センシング電極線５３ＳＲが第１電極線であり、ドライブ電極３１ＤＰが第２電極であり、ドライブ電極線５１ＤＲが第２電極線である。また、センシング基準電極線４０ＫＲが第１基準電極線であり、ドライブ基準電極線４１ＫＲが第２基準電極線である。そして、第１電極方向Ｄ１が、第１方向かつ第２交差方向であり、第２電極方向Ｄ２が、第２方向かつ第１交差方向である。
【０１４５】
また、透明誘電体基板３３の表面を第２面とするとき、透明誘電体基板３３の裏面が第１面であり、センシング電極３３ＳＰが第２電極であり、センシング電極線５３ＳＲが第２電極線であり、ドライブ電極３１ＤＰが第１電極であり、ドライブ電極線５１ＤＲが第１電極線である。また、センシング基準電極線４０ＫＲが第２基準電極線であり、ドライブ基準電極線４１ＫＲが第１基準電極線である。そして、第１電極方向Ｄ１が、第２方向かつ第１交差方向であり、第２電極方向Ｄ２が、第１方向かつ第２交差方向である。
また、円弧状を有する離間屈曲部５３Ｑａ，５１Ｑａは、弧状屈曲部の一例である。
【０１４６】
以上説明したように、本実施形態によれば、以下に列挙する効果を得ることができる。
（１）互いに隣り合うセンシング電極線５３ＳＲにおいて、離間屈曲部５３Ｑａが対向し、これらの離間屈曲部５３Ｑａに対する仮想交点５３ＫＰの位置が一致する。こうした構成においては、同一の方向に延びる短線部が、第２電極方向Ｄ２に沿って並ぶ帯状の領域が形成されること、さらに、短線部の延びる方向が互いに異なる２種類の帯状の領域が第１電極方向Ｄ１に沿って交互に並ぶことが抑えられる。したがって、こうした帯状の領域の並びに起因した帯状のパターンが、反射光等によって視認されることが抑えられ、操作面２０Ｓから見た外観の品質が低くなることが抑えられる。同様に、互いに隣り合うドライブ電極線５１ＤＲにおいて、離間屈曲部５１Ｑａが対向し、これらの離間屈曲部５１Ｑａに対する仮想交点５１ＫＰの位置が一致する。こうした構成においては、同一の方向に延びる短線部が、第１電極方向Ｄ１に沿って並ぶ帯状の領域が形成されること、さらに、短線部の延びる方向が互いに異なる２種類の帯状の領域が第２電極方向Ｄ２に沿って交互に並ぶことが抑えられる。したがって、こうした帯状の領域の並びに起因した帯状のパターンが視認されることが抑えられ、操作面２０Ｓから見た外観の品質が低くなることが抑えられる。
【０１４７】
また、センシング電極線５３ＳＲにおいて短線部５３Ｅの傾きが不規則であること、および、ドライブ電極線５１ＤＲにおいて短線部５１Ｅの傾きが不規則であることによっても、上記帯状の領域の形成が抑えられる。
【０１４８】
（２）センシング電極線５３ＳＲが不規則に屈曲する屈曲線形状を有するため、センシング電極線が規則的に屈曲する屈曲線形状を有する構成と比較して、電極線パターンにおける周期性が低く抑えられる。そのため、電極線パターンと画素パターンとを重ね合わせたパターンにてモアレが視認されることが好適に抑えられる。同様に、ドライブ電極線５１ＤＲが、不規則に屈曲する屈曲線形状を有するため、電極線パターンと画素パターンとを重ね合わせたパターンにてモアレが視認されることが好適に抑えられる。
【０１４９】
（３）１つのセンシング電極３３ＳＰ内において、互いに隣り合うセンシング電極線５３ＳＲは、接続屈曲部５３Ｑｂにて接続している。同様に、１つのドライブ電極３１ＤＰ内において、互いに隣り合うドライブ電極線５１ＤＲは、接続屈曲部５１Ｑｂにて接続している。こうした構成によれば、電極線の断線によるフローティング部の発生が抑えられ、その結果、接触位置の検出精度の低下が抑えられる。
【０１５０】
（４）離間屈曲部５３Ｑａ，５１Ｑａは円弧状を有し、離間屈曲部５３Ｑａ，５１Ｑａに繋がる短線部５３Ｅ，５１Ｅは、離間屈曲部５３Ｑａ，５１Ｑａの構成する円弧の端から、当該端での離間屈曲部５３Ｑａ，５１Ｑａの接線に追従するように延びている。こうした構成によれば、離間屈曲部５３Ｑａ，５１Ｑａが折れ線状である構成と比較して、屈曲部分にて電極線の延びる方向が緩やかに変化するため、電極線の線幅が設計寸法に従って均一に形成されやすい。したがって、離間屈曲部５３Ｑａ，５１Ｑａにて線幅が拡大することに起因して離間屈曲部５３Ｑａ，５１Ｑａが視認されやすくなることが抑えられる。それゆえ、表示装置１００にて視認される画像の品質の低下を抑えられる。
【０１５１】
（５）複数のセンシング電極線５３ＳＲは、互いに隣り合う電極線において位相が反転し、かつ、屈曲部が接続しているセンシング基準電極線４０ＫＲの基準屈曲部４０Ｑに対して変位した位置に仮想交点５３ＫＰが配置されるように構成されている。また同様に、複数のドライブ電極線５１ＤＲは、互いに隣り合う電極線において位相が反転し、かつ、屈曲部が接続しているドライブ基準電極線４１ＫＲの基準屈曲部４１Ｑに対して変位した位置に仮想交点５１ＫＰが配置されるように構成されている。こうした構成によれば、上記（１），（２）の効果を得られる電極線が的確に実現される。
【０１５２】
（６）センシング基準電極線４０ＫＲの基準屈曲部４０Ｑに対して仮想交点５３ＫＰが変位する範囲である変位領域Ｓｓにおいて、第１電極方向Ｄ１に沿った長さｄｓ１は、基準周期ＫＷｓの０．０５倍以上０．４５倍以下であり、第２電極方向Ｄ２に沿った長さｄｓ２は、基準間隔ＫＰｓの０．０５倍以上０．４５倍以下の範囲である。長さｄｓ１，ｄｓ２が上記下限値以上であれば、センシング電極線５３ＳＲとして、センシング基準電極線４０ＫＲの周期性が十分に崩れた電極線形状が得られる。一方、長さｄｓ１，ｄｓ２が上記上限値以下であれば、センシング電極線５３ＳＲが過度に不規則な屈曲線形状を有することが抑えられる。そのため、電極線パターンにおける電極線の配置の密度がパターン内で過度に不均一になることが抑えられる。同様に、ドライブ基準電極線４１ＫＲの基準屈曲部４１Ｑに対して仮想交点５１ＫＰが変位する範囲である変位領域Ｓｄにおいて、第２電極方向Ｄ２に沿った長さｄｄ１は、基準周期ＫＷｄの０．０５倍以上０．４５倍以下であり、第１電極方向Ｄ１に沿った長さｄｄ２は、基準間隔ＫＰｄの０．０５倍以上０．４５倍以下の範囲である。長さｄｄ１，ｄｄ２が上記下限値以上であれば、ドライブ電極線５１ＤＲとして、ドライブ基準電極線４１ＫＲの周期性が十分に崩れた電極線形状が得られる。一方、長さｄｄ１，ｄｄ２が上記上限値以下であれば、ドライブ電極線５１ＤＲが過度に不規則な屈曲線形状を有することが抑えられる。そのため、電極線パターンにおける電極線の配置の密度がパターン内で過度に不均一になることが抑えられる。
【０１５３】
（７）センシング基準電極線４０ＫＲの基準周期ＫＷｓが、ドライブ基準電極線４１ＫＲの基準間隔ＫＰｄの２倍であり、ドライブ基準電極線４１ＫＲの基準周期ＫＷｄが、センシング基準電極線４０ＫＲの基準間隔ＫＰｓの２倍である。こうした構成によれば、複数のセンシング基準電極線４０ＫＲと複数のドライブ基準電極線４１ＫＲとが重ね合わされたパターンにて、ドライブ基準電極線４１ＫＲの基準屈曲部４１Ｑに対するセンシング基準電極線４０ＫＲの基準屈曲部４０Ｑの位置が、パターン内で一定となる。それゆえ、パターン内にて電極線の配置の密度が均等になるように、パターンを形成することが可能であり、こうしたパターンに基づいて作成される電極線パターンにおいても、電極線の配置の密度が過度に不均一になることが抑えられる。したがって、電極線の疎密の差に起因して生じる砂目が視認されることが抑えられるため、表示装置１００にて視認される画像の品質の低下が抑えられる。
【０１５４】
（変形例）
上記各実施形態は、以下のように変更して実施することが可能である。
・上記実施形態では、離間屈曲部５３Ｑａ，５１Ｑａは円弧状を有していたが、離間屈曲部５３Ｑａ，５１Ｑａの形状は円弧状に限られない。離間屈曲部５３Ｑａ，５１Ｑａは、円弧状とは異なる曲線形状を有していてもよいし、折れ線形状を有していてもよい。図１６は、折れ線形状を有する離間屈曲部５３Ｑａである折線屈曲部の例を示す。
【０１５５】
図１６が示すように、離間屈曲部５３Ｑａは、センシング電極線５３ＳＲに沿って互いに隣り合う２つの短線部５３Ｅの間に並ぶ複数の中間点Ｐを結ぶ折れ線形状を有する。中間点Ｐは、互いに隣り合う２つの短線部５３Ｅの各々の延長線の交点である仮想交点５３ＫＰと、２つの短線部５３Ｅにおける仮想交点５３ＫＰに近い側の端部とを繋ぐことにより形成される三角形の領域の内部に位置する。例えば、中間点Ｐは、２つの短線部５３Ｅの端部にて仮想線Ｋ１に接する円上に位置してもよい。離間屈曲部５３Ｑａは、２つの短線部５３Ｅにおける一方の短線部５３Ｅの端部から、第１電極方向Ｄ１における位置が当該端部に近い点から順に中間点Ｐを通って、他方の短線部５３Ｅの端部まで延びている。こうした離間屈曲部５３Ｑａは、山部が連続する折れ線形状を有する。
【０１５６】
中間点Ｐの数が多いほど、離間屈曲部５３Ｑａが折れ曲がる部分に形成される角の角度が大きくなるため、電極線の延びる方向の変化は緩やかになる。そのため、電極線の線幅が設計寸法に従って均一に形成されやすい。こうした観点によれば、中間点Ｐの数は２点以上であることが好ましい。
【０１５７】
離間屈曲部５３Ｑａが円弧状とは異なる形状を有する場合であっても、離間距離Ｇｐは、互いに対向する２つの離間屈曲部５３Ｑａの間の第２電極方向Ｄ２に沿った最短距離である。
【０１５８】
以上のように、離間屈曲部５３Ｑａは、センシング電極線５３ＳＲに沿って互いに隣り合う２つの短線部５３Ｅの各々の延長線の交点である仮想交点５３ＫＰよりも、第２電極方向Ｄ２においてこれらの短線部５３Ｅに近い側でこれらの短線部５３Ｅを繋いでいればよい。換言すれば、離間屈曲部５３Ｑａは、仮想交点５３ＫＰと、２つの短線部５３Ｅの端部とを直線状に繋ぐことにより形成される三角形の領域の内部にて、これらの２つの短線部５３Ｅの端部同士を繋いでいればよい。同様に、離間屈曲部５１Ｑａは、ドライブ電極線５１ＤＲに沿って互いに隣り合う２つの短線部５１Ｅの各々の延長線の交点である仮想交点５１ＫＰよりも、第１電極方向Ｄ１においてこれらの短線部５１Ｅに近い側でこれらの短線部５１Ｅを繋いでいればよい。
【０１５９】
なお、センシング電極線５３ＳＲにおいて、複数の離間屈曲部５３Ｑａには、互いに異なる形状の離間屈曲部５３Ｑａが含まれてもよいし、ドライブ電極線５１ＤＲにおいて、複数の離間屈曲部５１Ｑａには、互いに異なる形状の離間屈曲部５１Ｑａが含まれてもよい。また、離間屈曲部５３Ｑａの形状と離間屈曲部５１Ｑａの形状とは異なっていてもよい。
【０１６０】
・１つのセンシング電極３３ＳＰ内において、センシング電極線５３ＳＲは、第２電極方向Ｄ２の両側で、隣り合う他のセンシング電極線５３ＳＲと接続屈曲部５３Ｑｂにて接続していてもよい。あるいは、センシング電極線５３ＳＲは、第２電極方向Ｄ２の一方側のみで、隣り合う他のセンシング電極線５３ＳＲと接続屈曲部５３Ｑｂにて接続していてもよい。さらに、センシング電極３３ＳＰは、他のセンシング電極線５３ＳＲと接続していないセンシング電極線５３ＳＲを含んでいてもよいし、センシング電極３３ＳＰはセンシング電極線５３ＳＲの接続箇所を有していなくてもよい。すなわち、センシング電極線５３ＳＲは、接続屈曲部５３Ｑｂを有さなくてもよい。
【０１６１】
同様に、１つのドライブ電極３１ＤＰ内において、ドライブ電極線５１ＤＲは、第１電極方向Ｄ１の少なくとも一方側で、隣り合う他のドライブ電極線５１ＤＲと接続屈曲部５１Ｑｂにて接続していればよい。そして、ドライブ電極３１ＤＰは、他のドライブ電極線５１ＤＲと接続していないドライブ電極線５１ＤＲを含んでいてもよいし、ドライブ電極３１ＤＰはドライブ電極線５１ＤＲの接続箇所を有していなくてもよい。
【０１６２】
・互いに隣り合うセンシング電極線５３ＳＲにて互いに対向する２つの離間屈曲部５３Ｑａが隙間を空けて離間している構成であれば、一方の離間屈曲部５３Ｑａのみが上述のように曲線状や折れ線状の形状を有し、他方の離間屈曲部５３Ｑａは点状であって、接続屈曲部５３Ｑｂと同様の形状を有していてもよい。
【０１６３】
・センシング電極線５３ＳＲに対する第２電極方向Ｄ２の一方側のみで、第２電極方向Ｄ２における仮想交点５３ＫＰの位置が、複数の仮想交点５３ＫＰの間で仮想交点５３ＫＰの並びの順序に対し不規則に変化していてもよい。すなわち、センシング変位電極線４５ＴＲ，４６ＴＲは、センシング基準電極線４０ＫＲにおける第１仮想屈曲部と第２仮想屈曲部との一方のみが、不規則に変位した形状を有していてもよい。同様に、ドライブ電極線５１ＤＲに対する第１電極方向Ｄ１の一方側のみで、第１電極方向Ｄ１における仮想交点５１ＫＰの位置が、複数の仮想交点５１ＫＰの間で仮想交点５１ＫＰの並びの順序に対し不規則に変化していてもよい。
【０１６４】
・上記実施形態においては、センシング電極線５３ＳＲおよびドライブ電極線５１ＤＲの各々のパターンを、菱形の並ぶパターンである基準電極線４０ＫＲ，４１ＫＲのパターンを基に作成したが、基準電極線４０ＫＲ，４１ＫＲのパターンは、上記実施形態とは異なるパターンであってもよい。例えば、基準電極線４０ＫＲ，４１ＫＲのパターンは、矩形の並ぶ格子状のパターンであってもよい。また、センシング基準電極線４０ＫＲの基準周期ＫＷｓとドライブ基準電極線４１ＫＲの基準間隔ＫＰｄとの関係や、ドライブ基準電極線４１ＫＲの基準周期ＫＷｄとセンシング基準電極線４０ＫＲの基準間隔ＫＰｓとの関係は、上記実施形態と異なってもよい。
さらに、上記実施形態に示した形状的特徴を有するセンシング電極線およびドライブ電極線の各々のパターンであれば、その作成方法は限定されない。
【０１６５】
・複数のセンシング電極線５３ＳＲから構成されるパターンと、複数のドライブ電極線５１ＤＲから構成されるパターンとのいずれか一方のみが、上記実施形態にて説明したパターンであってもよい。こうした構成によっても、複数のセンシング電極線から構成されるパターンと、複数のドライブ電極線から構成されるパターンの双方において、並列された電極線の位相が揃っている構成と比較して、帯状のパターンが視認されることを抑える効果は得られる。また、センシング電極３３ＳＰとドライブ電極３１ＤＰとの各々は、上記実施形態の形状の電極線に加えて、上記実施形態の形状とは異なる形状の電極線を含んでいてもよい。また、センシング電極線５３ＳＲとドライブ電極線５１ＤＲとの各々は、少なくとも帯状のパターンが視認されることを抑制したい領域、例えば、操作面２０Ｓから見た中央の領域等に配置される部分において、上記実施形態の形状を有していればよい。また、複数のセンシング電極線５３ＳＲからなるパターンは、このパターンに含まれる一部の領域のパターンが第１電極方向Ｄ１や第２電極方向Ｄ２に沿って繰り返されるパターンであってもよい。同様に、複数のドライブ電極線５１ＤＲからなるパターンは、このパターンに含まれる一部の領域のパターンが第１電極方向Ｄ１や第２電極方向Ｄ２に沿って繰り返されるパターンであってもよい。この場合、上記一部の領域、すなわち、繰り返しの単位領域に含まれる部分が第１電極線もしくは第２電極線である。
【０１６６】
・センシング電極線とドライブ電極線との重ね合わせに際して、センシング電極線の延びる方向である第１電極方向Ｄ１とドライブ電極線の延びる方向である第２電極方向Ｄ２とは直交していなくてもよく、これらの方向は交差していればよい。すなわち、一方の電極線の延びる方向である第１方向と、他方の電極線の延びる方向である第２方向とは、直交していなくてもよい。なお、第１方向と第２方向とが直交する構成では、センシング電極線とドライブ電極線とが重ね合わされた電極線パターンが容易に得られ、また、導電性フィルム２１の製造に際して、センシング電極線とドライブ電極線との位置合わせが容易である。
【０１６７】
また、センシング電極線の延びる方向とセンシング電極線の並ぶ方向とは、互いに直交していなくてもよく、これらの方向は交差していればよい。同様に、ドライブ電極線の延びる方向とドライブ電極線の並ぶ方向とは、互いに直交していなくてもよく、これらの方向は交差していればよい。すなわち、一方の電極線の延びる方向である第１方向と、一方の電極線の並ぶ方向である第１交差方向とは互いに交差する方向であればよく、他方の電極線の延びる方向である第２方向と、他方の電極線の並ぶ方向である第２交差方向とは、互いに交差する方向であればよい。
【０１６８】
また、上記実施形態では、第１方向と第２交差方向とは同一の方向であり、第２方向と第１交差方向とは同一の方向であるが、これらの方向のすべてが互いに異なる方向であってもよい。
【０１６９】
・図１７が示すように、タッチパネル２０を構成する導電性フィルム２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１７０】
なお、上記各実施形態のように、センシング電極３３ＳＰとドライブ電極３１ＤＰとが互いに異なる基材上に形成されている構成では、１つの基材の両面に電極線が形成されている構成と比較して、電極線の形成が容易である。
【０１７１】
・図１８が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１７２】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１７３】
・表示パネル１０とタッチパネル２０とは、個別に形成されていなくともよく、タッチパネル２０は、表示パネル１０と一体に形成されてもよい。こうした構成では、例えば、導電性フィルム２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、導電性フィルム２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０１７４】
Ｄ１…第１電極方向、Ｄ２…第２電極方向、Ｇｐ…離間距離、ＫＰｓ，ＫＰｄ…基準間隔、ＫＷｓ，ＫＷｄ…基準周期、Ｋαｓ，Ｋαｄ…基準角度、ＮＤ…容量検出部、Ｓｓ，Ｓｄ…変位領域、１０…表示パネル、１１…下側偏光板、１２…薄膜トランジスタ基板、１３…ＴＦＴ層、１４…液晶層、１５…カラーフィルタ層、１５Ｐ…画素、１６…カラーフィルタ基板、１７…上側偏光板、２０…タッチパネル、２１…導電性フィルム、２２…カバー層、２３…透明接着層、３１…透明基板、３１Ｓ…ドライブ電極面、３１ＤＰ…ドライブ電極、３３…透明誘電体基板、３３Ｓ…センシング電極面、３３ＳＰ…センシング電極、３４…選択回路、３５…検出回路、３６…制御部、４０ＫＲ…センシング基準電極線、４０Ｅ…基準短線部、４０Ｑ…基準屈曲部、４１ＫＲ…ドライブ基準電極線、４１Ｅ…基準短線部、４１Ｑ…基準屈曲部、４５ＴＲ，４６ＴＲ…センシング変位電極線、４５Ｑ，４６Ｑ…変位屈曲部、５１ＤＲ…ドライブ電極線、５１Ｅ…短線部、５１Ｑ…屈曲部、５１Ｑａ…離間屈曲部、５１Ｑｂ…接続屈曲部、５１ＫＰ…仮想交点、５３ＳＲ…センシング電極線、５３Ｅ…短線部、５３Ｑ…屈曲部、５３Ｑａ…離間屈曲部、５３Ｑｂ…接続屈曲部、５３ＫＰ…仮想交点、１００…表示装置。
【図１】
2018195020.tif 000003
【図２】
2018195020.tif 000004
【図３】
2018195020.tif 000005
【図４】
2018195020.tif 000006
【図５】
2018195020.tif 000007
【図６】
2018195020.tif 000008
【図７】
2018195020.tif 000009
【図８】
2018195020.tif 000010
【図９】
2018195020.tif 000011
【図１０】
2018195020.tif 000012
【図１１】
2018195020.tif 000013
【図１２】
2018195020.tif 000014
【図１３】
2018195020.tif 000015
【図１４】
2018195020.tif 000016
【図１５】
2018195020.tif 000017
【図１６】
2018195020.tif 000018
【図１７】
2018195020.tif 000019
【図１８】
2018195020.tif 000020
【図１９】
2018195020.tif 000021